(57)【要約】  サウンディング参照信号（ＳＲＳ）送信を実施するための方法、無線デバイス（１００）およびネットワークノード（２００）。一態様によれば、方法は、少なくとも１つのＳＲＳ送信セッティングを備える、設定されるべき１つまたは複数のＳＲＳリソースセットの規定を受信することを含む。本方法は、１つまたは複数の設定されたＳＲＳリソースセットから選択された、ＳＲＳ送信のために使用すべきＳＲＳリソースセットの指示を受信することと、選択されたＳＲＳリソースセットと少なくとも１つのＳＲＳ送信セッティングとに基づいてＳＲＳ送信のためのプリコーディング設定を決定することとをさらに含む。本方法は、決定されたプリコーディング設定に従ってＳＲＳを送信することをも含む。【選択図】図１７
2020536471.tif 000002
【特許請求の範囲】
【請求項１】
サウンディング参照信号（ＳＲＳ）送信を実施するための、無線デバイスによって実施される方法（１７００）であって、前記方法が、
少なくとも１つのＳＲＳ送信セッティングを含む、設定されるべき１つまたは複数のＳＲＳリソースセットの規定を受信すること（ｓ１７０２）と、
前記１つまたは複数の設定されたＳＲＳリソースセットから選択された、ＳＲＳ送信のために使用すべきＳＲＳリソースセットの指示を受信すること（ｓ１７０４）と、
前記選択されたＳＲＳリソースセットと前記少なくとも１つのＳＲＳ送信セッティングとに基づいて前記ＳＲＳ送信のためのプリコーディング設定を決定すること（ｓ１７０６）と、
前記決定されたプリコーディング設定に従ってＳＲＳを送信すること（ｓ１７０８）と
を含む、方法（１７００）。
【請求項２】
前記ＳＲＳ送信のためのプリコーディング設定を前記決定することは、コードブックベースプリコーディングが適用されるべきであるのか非コードブックベースプリコーディングが適用されるべきであるのかを決定することを含む、請求項１に記載の方法。
【請求項３】
前記ＳＲＳ送信のための前記プリコーディング設定を前記決定することが、プリコーディングインジケータに基づく、請求項１または２に記載の方法。
【請求項４】
前記プリコーディングインジケータが、前記少なくとも１つのＳＲＳ送信セッティング中に備えられる、請求項３に記載の方法。
【請求項５】
前記プリコーディングインジケータが、関連するダウンリンク参照信号（ＤＬ  ＲＳ）を識別するＤＬ  ＲＳ識別子である、請求項３または４に記載の方法。
【請求項６】
前記ＳＲＳ送信のためのプリコーディング設定を前記決定することが、前記ＳＲＳ送信のための相反性ベースプリコーディングを適用すべきかどうかを決定することを含む、請求項１から５のいずれか一項に記載の方法。
【請求項７】
前記選択されたＳＲＳリソースがＤＬ  ＲＳに対する関連付けを備え、前記方法が、前記関連するＤＬ  ＲＳに基づいて前記ＳＲＳ送信のための相反性ベースプリコーダを決定することをさらに含む、請求項６に記載の方法。
【請求項８】
前記ＳＲＳ送信が非周期送信であり、選択されたＳＲＳリソースセットの前記指示がＤＬ制御情報（ＤＣＩ）インジケータを含む、請求項１から７のいずれか一項に記載の方法。
【請求項９】
サウンディング参照信号（ＳＲＳ）送信を実施するための無線デバイス（１００）であって、前記無線デバイスは、
少なくとも１つのＳＲＳ送信セッティングを含む、設定されるべき１つまたは複数のＳＲＳリソースセットの規定を受信することと、
ＳＲＳ送信のために使用すべき、前記１つまたは複数の設定されたＳＲＳリソースセットから選択されたＳＲＳリソースセットの指示を受信することと、
前記選択されたＳＲＳリソースセットと前記少なくとも１つのＳＲＳ送信セッティングとに基づいて前記ＳＲＳ送信のためのプリコーディング設定を決定することと、
前記決定されたプリコーディング設定に従ってＳＲＳを送信することと
を行うように設定された、無線デバイス（１００）。
【請求項１０】
前記ＳＲＳ送信のための前記決定されたプリコーディング設定が、コードブックベースプリコーディングまたは非コードブックベースプリコーディングのうちの１つを含む、請求項９に記載の無線デバイス。
【請求項１１】
前記ＳＲＳ送信のための前記プリコーディング設定が、プリコーディングインジケータに基づいて決定される、請求項９または１０に記載の無線デバイス。
【請求項１２】
前記プリコーディングインジケータが、前記少なくとも１つのＳＲＳ送信セッティング中に備えられる、請求項１１に記載の無線デバイス。
【請求項１３】
前記プリコーディングインジケータが、関連するダウンリンク参照信号（ＤＬ  ＲＳ）を識別するＤＬ  ＲＳ識別子である、請求項１１または１２に記載の無線デバイス。
【請求項１４】
前記ＳＲＳ送信のための前記決定されたプリコーディング設定が、前記ＳＲＳ送信のための相反性ベースプリコーディングを適用することを含む、請求項１０から１３のいずれか一項に記載の無線デバイス。
【請求項１５】
前記選択されたＳＲＳリソースがＤＬ  ＲＳに対する関連付けを備え、前記無線デバイスが、前記関連するＤＬ  ＲＳに基づいて前記ＳＲＳ送信のための相反性ベースプリコーダを決定するようにさらに設定された、請求項１４に記載の無線デバイス。
【請求項１６】
前記ＳＲＳ送信が非周期送信であり、選択されたＳＲＳリソースセットの前記指示がＤＬ制御情報（ＤＣＩ）インジケータを含む、請求項１０から１５のいずれか一項に記載の無線デバイス。
【請求項１７】
サウンディング参照信号（ＳＲＳ）送信を管理するための、ネットワークノードによって実施される方法（１８００）であって、前記方法は、
無線デバイスに、少なくとも１つのＳＲＳ送信セッティングを含む、設定されるべき１つまたは複数のＳＲＳリソースセットの規定を送ること（ｓ１８０２）と、
ＳＲＳ送信のために使用すべき、前記１つまたは複数の設定されたＳＲＳリソースセットから選択されたＳＲＳリソースセットの指示を送ること（ｓ１８０４）であって、前記少なくとも１つのＳＲＳ送信セッティングが前記ＳＲＳ送信のためのプリコーディング設定に対応する、選択されたＳＲＳリソースセットの指示を送ること（ｓ１８０４）と、
前記対応するプリコーディング設定に従ってＳＲＳ送信を受信すること（ｓ１８０６）と
を含む、方法（１８００）。
【請求項１８】
前記ＳＲＳ送信のための前記対応するプリコーディング設定が、コードブックベースプリコーディングまたは非コードブックベースプリコーディングのうちの１つを含む、請求項１７に記載の方法。
【請求項１９】
前記選択されたリソースセットがプリコーディングインジケータを含む、請求項１７または１８に記載の方法。
【請求項２０】
前記プリコーディングインジケータが、前記少なくとも１つのＳＲＳ送信セッティング中に備えられる、請求項１９に記載の方法。
【請求項２１】
前記プリコーディングインジケータが、関連するダウンリンク参照信号（ＤＬ  ＲＳ）を識別するＤＬ  ＲＳ識別子である、請求項１９または２０に記載の方法。
【請求項２２】
前記ＳＲＳ送信のための前記対応するプリコーディング設定が、前記ＳＲＳ送信のための相反性ベースプリコーディングを含む、請求項１７から２１のいずれか一項に記載の方法。
【請求項２３】
前記選択されたＳＲＳリソースがＤＬ  ＲＳに対する関連付けを備え、前記対応するプリコーディング設定が、前記関連するＤＬ  ＲＳに基づく相反性ベースプリコーディングを含む、請求項２２に記載の方法。
【請求項２４】
前記ＳＲＳ送信が非周期送信であり、選択されたＳＲＳリソースセットの前記指示がＤＬ制御情報（ＤＣＩ）インジケータを含む、請求項１７から２３のいずれか一項に記載の方法。
【請求項２５】
サウンディング参照信号（ＳＲＳ）送信を管理するためのネットワークノード（２００）であって、前記ネットワークノードは、
無線デバイスに、少なくとも１つのＳＲＳ送信セッティングを含む、設定されるべき１つまたは複数のＳＲＳリソースセットの規定を送ることと、
ＳＲＳ送信のために使用すべき、前記１つまたは複数の設定されたＳＲＳリソースセットから選択されたＳＲＳリソースセットの規定を送ることであって、前記少なくとも１つのＳＲＳ送信セッティングが前記ＳＲＳ送信のためのプリコーディング設定に対応する、選択されたＳＲＳリソースセットの規定を送ることと、
前記対応するプリコーディング設定に従ってＳＲＳ送信を受信することと
を行うように設定された、ネットワークノード（２００）。
【請求項２６】
前記ＳＲＳ送信のための前記対応するプリコーディング設定が、コードブックベースプリコーディングまたは非コードブックベースプリコーディングのうちの１つを含む、請求項２５に記載のネットワークノード。
【請求項２７】
前記選択されたリソースセットがプリコーディングインジケータを含む、請求項２５または２６に記載のネットワークノード。
【請求項２８】
前記プリコーディングインジケータが、前記少なくとも１つのＳＲＳ送信セッティング中に備えられる、請求項２７に記載のネットワークノード。
【請求項２９】
前記プリコーディングインジケータが、関連するダウンリンク参照信号（ＤＬ  ＲＳ）を識別するＤＬ  ＲＳ識別子である、請求項２７または２８に記載のネットワークノード。
【請求項３０】
前記ＳＲＳ送信のための前記対応するプリコーディング設定が、前記ＳＲＳ送信のための相反性ベースプリコーディングを含む、請求項２５から２９のいずれか一項に記載のネットワークノード。
【請求項３１】
前記選択されたＳＲＳリソースがＤＬ  ＲＳに対する関連付けを備え、前記対応するプリコーディング設定が、前記関連するＤＬ  ＲＳに基づく相反性ベースプリコーディングを含む、請求項３０に記載のネットワークノード。
【請求項３２】
前記ＳＲＳ送信が非周期送信であり、選択されたＳＲＳリソースセットの指示がＤＬ制御情報（ＤＣＩ）インジケータを含む、請求項２５から３１のいずれか一項に記載のネットワークノード。
【請求項３３】
プロセッサ回路要素（１２０）と、デバイス可読媒体（１３０）の形態のメモリと、トランシーバ（１２２、４３１）とを備えるユーザ機器装置（１００、４００）であって、
前記トランシーバが、
少なくとも１つのＳＲＳ送信セッティングを含む、設定されるべき１つまたは複数のＳＲＳリソースセットの指示を受信することと、
ＳＲＳ送信のために使用すべき、前記１つまたは複数の設定されたＳＲＳリソースセットから選択されたＳＲＳリソースセットの指示を受信することと
を行うように設定され、
前記処理回路要素が、
前記選択されたＳＲＳリソースセットと前記少なくとも１つのＳＲＳ送信セッティングとに基づいて前記ＳＲＳ送信のためのプリコーディング設定を決定する
ように設定され、
前記トランシーバが、
前記決定されたプリコーディング設定に従ってＳＲＳを送信する
ようにさらに設定された、ユーザ機器装置（１００、４００）。
【請求項３４】
プロセッサ回路要素（２１０）と、デバイス可読媒体（２２０）の形態のメモリと、トランシーバ回路要素（２１２）とを備える基地局装置（２００）であって、前記トランシーバ回路要素は、
無線デバイスに、少なくとも１つのＳＲＳ送信セッティングを含む、設定されるべき１つまたは複数のＳＲＳリソースセットの規定を送ることと、
ＳＲＳ送信のために使用すべき、前記１つまたは複数の設定されたＳＲＳリソースセットから選択されたＳＲＳリソースセットの指示を送ることであって、前記少なくとも１つのＳＲＳ送信セッティングが前記ＳＲＳ送信のためのプリコーディング設定に対応する、選択されたＳＲＳリソースセットの指示を送ることと、
前記対応するプリコーディング設定に従ってＳＲＳ送信を受信することと
を行うように設定された、基地局装置（２００）。
【請求項３５】
処理回路要素によって実行されたとき、前記処理回路要素に、請求項１から８および請求項１７から２４に記載の方法のうちのいずれか１つを実施させる命令を備えるデバイス可読媒体（１３０、２２０）。
【発明の詳細な説明】
【技術分野】
【０００１】
本明細書の実施形態は、一般に、サウンディング参照信号と、サウンディング参照信号にプリコーディングが適用されるべきであるか否かとに関する。
【背景技術】
【０００２】
マルチアンテナ技法は、無線通信システムのデータレートおよび信頼性を著しく増加させることができる。送信機と受信機の両方が複数のアンテナを装備する場合、性能が特に改善され、これは、多入力多出力（ＭＩＭＯ）通信チャネルをもたらす。そのようなシステムおよび／または関係する技法は、通常、ＭＩＭＯと呼ばれる。
【０００３】
ＮＲにおけるコア構成要素は、ＭＩＭＯアンテナ展開およびＭＩＭＯ関係技法のサポートである。ＮＲは、チャネル依存プリコーディングとともに少なくとも４つのアンテナポートを使用する少なくとも４レイヤ空間多重化を伴うアップリンクＭＩＭＯをサポートすることが予想される。空間多重化モードは、好都合なチャネル状態における高データレートを目的とする。空間多重化演算の説明が図１において提供され、ここで、サイクリックプレフィックス−直交周波数分割多重（ＣＰ−ＯＦＤＭ）がアップリンク上で使用される。見られるように、情報搬送シンボルベクトルｓはＮＴ×ｒプリコーダ行列Ｗを乗算され、これは、（ＮＴ個のアンテナポートに対応する）ＮＴ次元ベクトル空間の部分空間中で送信エネルギーを分配するように働く。コードブックベース（ｃｏｄｅｂｏｏｋ  ｂａｓｅｄ）プリコーディングの場合、プリコーダ行列は、一般に、可能なプリコーダ行列のコードブックから選択され、一般に、送信プリコーダ行列インジケータ（ＴＰＭＩ：ｔｒａｎｓｍｉｔ  ｐｒｅｃｏｄｅｒ  ｍａｔｒｉｘ  ｉｎｄｉｃａｔｏｒ）によって示され、ＴＰＭＩは、所与の数のシンボルストリームについてコードブック中の一意のプリコーダ行列を指定する。ｓ中のｒ個のシンボルは各々レイヤに対応し、ｒは送信ランクと呼ばれる。このようにして、複数のシンボルが同じ時間／周波数リソースエレメント（ＴＦＲＥ：ｔｉｍｅ／ｆｒｅｑｕｅｎｃｙ  ｒｅｓｏｕｒｃｅ  ｅｌｅｍｅｎｔ）上で同時に送信され得るので、空間多重化が達成される。シンボルの数ｒは、一般に、現在のチャネル性質に適するように適応される。
【０００４】
サブキャリアｎ上のあるＴＦＲＥ（または代替的にデータＴＦＲＥ数ｎ）についての受信されたＮＲ×１ベクトルｙｎは、したがって、以下によってモデル化される。
ｙｎ＝ＨｎＷｓｎ＋ｅｎ    式１
ここで、ｅｎは、ランダムプロセスの実現として取得される雑音／干渉ベクトルである。プリコーダＷは広帯域プリコーダであり得、広帯域プリコーダは、周波数にわたって一定であるか、または周波数選択性（ｆｒｅｑｕｅｎｃｙ  ｓｅｌｅｃｔｉｖｅ）である。
【０００５】
プリコーダ行列Ｗは、しばしば、ＮＲ×ＮＴ  ＭＩＭＯチャネル行列Ｈｎの特性にマッチするように選定され、いわゆるチャネル依存プリコーディングが生じる。これは、一般に閉ループプリコーディングとも呼ばれ、本質的に、送信エネルギーを部分空間に集中させるように努力し、これは、送信されたエネルギーの大部分をＵＥに伝達するという意味で強い。さらに、プリコーダ行列はまた、チャネルを直交化するように努力するように選択され得、これは、ＵＥにおける適切な線形等化の後に、レイヤ間干渉が低減されることを意味する。
【０００６】
ＵＥがプリコーダ行列Ｗを選択するための１つの例示的な方法は、仮定された等価チャネルのフロベニウスノルムを最大にするＷｋを選択することであり得る。
2020536471.tif 000003
ここで、
2020536471.tif 000004
は、場合によっては以下で説明されるようにＣＳＩ−ＲＳから導出される、チャネル推定値である。
Ｗｋは、インデックスｋをもつ仮定されたプリコーダ行列である。
2020536471.tif 000005
は、仮定された等価チャネルである。
【０００７】
ＮＲアップリンクのための閉ループプリコーディングでは、ＴＲＰは、逆方向リンク（アップリンク）におけるチャネル測定に基づいて、ＵＥがＵＥのアップリンクアンテナ上で使用するべきであるＴＰＭＩをＵＥに送信し得る。５Ｇ基地局（たとえばＴＲＰ、ｇノードＢまたはｇＮＢ）は、チャネル測定を可能にするためにアップリンク送信のためにＵＥに使用してほしいＵＥアンテナの数に従ってＳＲＳを送信するようにＵＥを設定する。大きい帯域幅（広帯域プリコーディング）をカバーすると考えられる単一のプリコーダがシグナリングされ得る。また、チャネルの周波数変動にマッチし、代わりに、サブバンドごとに１つ、周波数選択性プリコーディング報告、たとえば数個のプリコーダおよび／または数個のＴＰＭＩをフィードバックすることが有益であり得る。
【０００８】
ＵＬ  ＭＩＭＯ送信状態を決定するために、概して、ＳＲＳリソースインジケータ（ＳＲＩ）ならびに送信ランクインジケータ（ＴＲＩ）など、ＴＰＭＩ以外の他の情報が使用され得る。これらのパラメータ、ならびに変調およびコーディング状態（ＭＣＳ）、ならびに物理アップリンク共有チャネル（ＰＵＳＣＨ）が送信されるべきであるアップリンクリソースも、ＵＥからのＳＲＳ送信から導出されたチャネル測定値によって決定され得る。送信ランク、したがって、空間的に多重化されたレイヤの数が、プリコーダＷの列数において反映される。最適性能のために、チャネル性質にマッチする送信ランクが選択されることが重要である。これは、反復的プロセスであり、基地局からの正確なプリコーダ指示に依拠する。コードブックベースＵＬ送信に加えて、ＮＲは、非コードブックベース（ｎｏｎ−ｃｏｄｅｂｏｏｋ  ｂａｓｅｄ）送信モードをサポートし得、非コードブックベース送信モードは、ＴＸ／ＲＸ相反性がＵＥにおいて成り立つとき、適用可能である。コードブックベースモードでは、前述のように、ＵＥは、一般に、アップリンクチャネルをサウンディングする（ｓｏｕｎｄ）ために、プリコーディングされていない（ｎｏｎ−ｐｒｅｃｏｄｅｄ）ＳＲＳを送信し、基地局は、ＳＲＳチャネル推定値に基づいてコードブックから好ましいプリコーダを決定し、ＵＥに、ＵＬグラント中に備えられるＴＰＭＩによるＰＵＳＣＨ送信に対して前記プリコーダを適用するように命令する。
【０００９】
しかしながら、非コードブックベースＵＬ送信の場合、ＵＥ自体が、１つまたは複数のプリコーダ候補を決定し、１つまたは複数のＳＲＳリソース中の１つまたは複数のＳＲＳをプリコーディングするために前記プリコーダ候補を使用する。基地局は、対応して、１つまたは複数の好ましいＳＲＳリソースを決定し、ＵＥに、ＰＵＳＣＨ送信のためにも、１つまたは複数の好ましいＳＲＳリソースをプリコーディングするために適用される（１つまたは複数の）プリコーダを使用するように命令する。この命令は、ＵＬグラントを搬送するダウンリンク制御情報（ＤＣＩ）中に備えられる１つまたは複数のＳＲＩの形態でシグナリングされ得るが、代替または追加として、ＴＲＩシグナリングを含み得る。
【００１０】
たとえば３ＧＰＰ  ＴＳ３８．３００  Ｖ１．０．０（２０１７−０９）において指定されている、将来の新しい無線（ＮＲ）ネットワークの大部分が時分割複信（ＴＤＤ）のために展開されることが予想される。（周波数分割複信（ＦＤＤ）と比較して）ＴＤＤに伴う１つの利益は、ＴＤＤが、送信および受信ポイント（ＴＲＰ）（すなわちダウンリンク（ＤＬ）の場合）とユーザ機器（ＵＥ）（すなわちアップリンク（ＵＬ）の場合）の両方において適用され得る相反性ベース（ｒｅｃｉｐｒｏｃｉｔｙ−ｂａｓｅｄ）ビームフォーミングを可能にすることである。相反性ベースＤＬ送信の場合、ＵＥは、ＴＲＰとＵＥとの間のチャネルを推定するために、ＴＲＰ（たとえば、基地局）が使用するサウンディング参照信号（ＳＲＳ）を送信し得る。チャネル推定値は、次いで、たとえば固有ビームフォーミングを使用することによって、今度のＤＬ送信のための最適プリコーディング重みを見つけるためにＴＲＰにおいて使用される。
【００１１】
ＳＲＳおよびプリコーディング設定の効率的なＵＬハンドリングのための手段が、コードブックおよび非コードブックベースプリコーディングのために必要とされる。
【発明の概要】
【００１２】
本出願は、マルチアンテナ／マルチレイヤシステムのための改善されたチャネル推定を提供し、ネットワークノードがより効率的で正確なチャネル推定およびプリコーディングを可能にするように無線デバイスを設定するためのより大きいフレキシビリティを提供する。
【００１３】
一態様では、サウンディング参照信号（ＳＲＳ）送信を実施するための、無線デバイスによって実施される方法が提供される。本方法は、少なくとも１つのＳＲＳ送信セッティング（ｓｅｔｔｉｎｇ）を備える、設定されるべき１つまたは複数のＳＲＳリソースセットの規定を受信することを含む。本方法は、１つまたは複数の設定されたＳＲＳリソースセットから選択された、ＳＲＳ送信のために使用すべきＳＲＳリソースセットの指示を受信することを含む。本方法は、選択されたＳＲＳリソースセットと少なくとも１つのＳＲＳ送信セッティングとに基づいてＳＲＳ送信のためのプリコーディング設定を決定することをさらに含む。本方法は、決定されたプリコーディング設定に従ってＳＲＳを送信することをさらに含む。
【００１４】
いくつかの例では、ＳＲＳ送信のためのプリコーディング設定を決定することは、コードブックベースプリコーディングが適用されるべきであるのか非コードブックベースプリコーディングが適用されるべきであるのかを決定することを含む。ＳＲＳ送信のためのプリコーディング設定を決定することは、プリコーディングインジケータに基づき得る。プリコーディングインジケータは、少なくとも１つのＳＲＳ送信セッティング中に含められ得る。プリコーディングインジケータは、関連するダウンリンク参照信号（ＤＬ  ＲＳ）を識別するＤＬ  ＲＳ識別子であり得る。
【００１５】
いくつかの例では、ＳＲＳ送信のためのプリコーディング設定を決定することは、ＳＲＳ送信のための相反性ベースプリコーディングを適用すべきかどうかを決定することを含む。選択されたＳＲＳリソースはＤＬ  ＲＳに対する関連付けを含み得、本方法は、関連するＤＬ  ＲＳに基づいてＳＲＳ送信のための相反性ベースプリコーダを決定することをさらに含む。ＳＲＳ送信は非周期送信であり得、選択されたＳＲＳリソースセットの指示はＤＬ制御情報（ＤＣＩ）インジケータを含む。
【００１６】
別の態様では、サウンディング参照信号（ＳＲＳ）送信を実施するための無線デバイスが提供される。本無線デバイスは、少なくとも１つのＳＲＳ送信セッティングを含む、設定されるべき１つまたは複数のＳＲＳリソースセットの規定を受信するように設定される。本無線デバイスは、ＳＲＳ送信のために使用すべき、１つまたは複数の設定されたＳＲＳリソースセットから選択されたＳＲＳリソースセットの指示を受信するようにさらに設定される。本無線デバイスは、選択されたＳＲＳリソースセットと少なくとも１つのＳＲＳ送信セッティングとに基づいてＳＲＳ送信のためのプリコーディング設定を決定するように設定される。本無線デバイスは、決定されたプリコーディング設定に従ってＳＲＳを送信するようにさらに設定される。
【００１７】
いくつかの例では、ＳＲＳ送信のための決定されたプリコーディング設定は、コードブックベースプリコーディングまたは非コードブックベースプリコーディングのうちの１つを含む。ＳＲＳ送信のためのプリコーディング設定は、プリコーディングインジケータに基づいて決定され得る。プリコーディングインジケータは、少なくとも１つのＳＲＳ送信セッティング中に含められ得る。いくつかの例では、プリコーディングインジケータは、関連するダウンリンク参照信号（ＤＬ  ＲＳ）を識別するＤＬ  ＲＳ識別子である。いくつかの例では、ＳＲＳ送信のための決定されたプリコーディング設定は、ＳＲＳ送信のための相反性ベースプリコーディングを適用することを含む。選択されたＳＲＳリソースはＤＬ  ＲＳに対する関連付けを含み得、無線デバイスは、関連するＤＬ  ＲＳに基づいてＳＲＳ送信のための相反性ベースプリコーダを決定するようにさらに設定され得る。ＳＲＳ送信は非周期送信であり得、選択されたＳＲＳリソースセットの指示はＤＬ制御情報（ＤＣＩ）インジケータを含む。
【００１８】
別の態様では、サウンディング参照信号（ＳＲＳ）送信を管理するための、ネットワークノードによって実施される方法が提供される。本方法は、無線デバイスに、少なくとも１つのＳＲＳ送信セッティングを含む、設定されるべき１つまたは複数のＳＲＳリソースセットの規定を送ることを含む。本方法は、ＳＲＳ送信のために使用すべき、１つまたは複数の設定されたＳＲＳリソースセットから選択されたＳＲＳリソースセットの指示を送ることであって、少なくとも１つのＳＲＳ送信セッティングがＳＲＳ送信のためのプリコーディング設定に対応する、選択されたＳＲＳリソースセットの指示を送ることを含む。本方法は、対応するプリコーディング設定に従ってＳＲＳ送信を受信することをさらに含む。
【００１９】
いくつかの例では、ＳＲＳ送信のための対応するプリコーディング設定は、コードブックベースプリコーディングまたは非コードブックベースプリコーディングのうちの１つを含む。選択されたリソースセットはプリコーディングインジケータを含み得る。
【００２０】
プリコーディングインジケータは、少なくとも１つのＳＲＳ送信セッティング中に含められ得る。いくつかの例では、プリコーディングインジケータは、関連するダウンリンク参照信号（ＤＬ  ＲＳ）を識別するＤＬ  ＲＳ識別子である。いくつかの例では、ＳＲＳ送信のための対応するプリコーディング設定は、ＳＲＳ送信のための相反性ベースプリコーディングを含む。選択されたＳＲＳリソースはＤＬ  ＲＳに対する関連付けを含み得、対応するプリコーディング設定は、関連するＤＬ  ＲＳに基づく相反性ベースプリコーディングを備える。ＳＲＳ送信は非周期送信であり得、選択されたＳＲＳリソースセットの指示はＤＬ制御情報（ＤＣＩ）インジケータを含む。
【００２１】
別の態様では、サウンディング参照信号（ＳＲＳ）送信を管理するためのネットワークノードが提供される。本ネットワークノードは、無線デバイスに、少なくとも１つのＳＲＳ送信セッティングを含む、設定されるべき１つまたは複数のＳＲＳリソースセットの規定を送るように設定される。本ネットワークノードは、ＳＲＳ送信のために使用すべき、１つまたは複数の設定されたＳＲＳリソースセットから選択されたＳＲＳリソースセットの規定を送ることであって、少なくとも１つのＳＲＳ送信セッティングがＳＲＳ送信のためのプリコーディング設定に対応する、選択されたＳＲＳリソースセットの規定を送ることを行うようにさらに設定される。本ネットワークノードは、対応するプリコーディング設定に従ってＳＲＳ送信を受信するように設定される。
【００２２】
いくつかの例では、ＳＲＳ送信のための対応するプリコーディング設定は、コードブックベースプリコーディングまたは非コードブックベースプリコーディングのうちの１つを含む。選択されたリソースセットはプリコーディングインジケータを含み得る。
【００２３】
プリコーディングインジケータは、少なくとも１つのＳＲＳ送信セッティング中に含められ得る。プリコーディングインジケータは、関連するダウンリンク参照信号（ＤＬ  ＲＳ）を識別するＤＬ  ＲＳ識別子であり得る。いくつかの例では、ＳＲＳ送信のための対応するプリコーディング設定は、ＳＲＳ送信のための相反性ベースプリコーディングを含む。選択されたＳＲＳリソースはＤＬ  ＲＳに対する関連付けを含み得、対応するプリコーディング設定は、関連するＤＬ  ＲＳに基づく相反性ベースプリコーディングを含む。ＳＲＳ送信は非周期送信であり得、選択されたＳＲＳリソースセットの指示はＤＬ制御情報（ＤＣＩ）インジケータを含む。
【００２４】
別の態様では、ユーザ機器装置が提供される。本ユーザ機器は、プロセッサ回路要素と、デバイス可読媒体の形態のメモリと、トランシーバとを含む。トランシーバは、少なくとも１つのＳＲＳ送信セッティングを含む、設定されるべき１つまたは複数のＳＲＳリソースセットの指示を受信するように設定される。トランシーバは、ＳＲＳ送信のために使用すべき、１つまたは複数の設定されたＳＲＳリソースセットから選択されたＳＲＳリソースセットの指示を受信するようにさらに設定される。処理回路要素は、選択されたＳＲＳリソースセットと少なくとも１つのＳＲＳ送信セッティングとに基づいてＳＲＳ送信のためのプリコーディング設定を決定するように設定される。トランシーバは、決定されたプリコーディング設定に従ってＳＲＳを送信するようにさらに設定される。
【００２５】
別の態様では、基地局装置が提供される。本基地局は、プロセッサ回路要素と、デバイス可読媒体の形態のメモリと、トランシーバ回路要素とを含む。トランシーバ回路要素は、無線デバイスに、少なくとも１つのＳＲＳ送信セッティングを含む、設定されるべき１つまたは複数のＳＲＳリソースセットの規定を送るように設定される。トランシーバ回路要素は、ＳＲＳ送信のために使用すべき、１つまたは複数の設定されたＳＲＳリソースセットから選択されたＳＲＳリソースセットの指示を送ることであって、少なくとも１つのＳＲＳ送信セッティングがＳＲＳ送信のためのプリコーディング設定に対応する、選択されたＳＲＳリソースセットの指示を送ることを行うようにも設定される。トランシーバ回路要素は、対応するプリコーディング設定に従ってＳＲＳ送信を受信するようにさらに設定される。
【００２６】
別の態様では、デバイス可読媒体が提供される。本デバイス可読媒体は、処理回路要素によって実行されたとき、処理回路要素に、前に提示された方法のうちのいずれか１つを実施させる命令を含む。
【図面の簡単な説明】
【００２７】
【図１】空間多重化演算を示すブロック図である。
【図２】本開示の一実施形態によるシーケンスの図である。
【図３】１つまたは複数の実施形態による、ノードおよびデバイスのブロック図である。
【図４】１つまたは複数の実施形態による、ユーザ機器のブロック図である。
【図５】いくつかの実施形態による例示的な仮想化環境の図である。
【図６】いくつかの実施形態による、中間ネットワークを介してホストコンピュータに接続された例示的な電気通信ネットワークの図である。
【図７】いくつかの実施形態による、部分的無線接続上で基地局を介してユーザ機器と通信する例示的なホストコンピュータの図である。
【図８】いくつかの実施形態による、ホストコンピュータと、基地局と、ユーザ機器とを含む通信システムによって実施される例示的なフローチャートである。
【図９】いくつかの実施形態による、ホストコンピュータと、基地局と、ユーザ機器とを含む通信システムによって実施される例示的なフローチャートである。
【図１０】いくつかの実施形態による、ホストコンピュータと、基地局と、ユーザ機器とを含む通信システムによって実施される例示的なフローチャートである。
【図１１】いくつかの実施形態による、ホストコンピュータと、基地局と、ユーザ機器とを含む通信システムによって実施される例示的なフローチャートである。
【図１２】いくつかの実施形態による例示的なフローチャートである。
【図１３】いくつかの実施形態による例示的なフローチャートである。
【図１４】いくつかの実施形態による例示的なフローチャートである。
【図１５】いくつかの実施形態による例示的なフローチャートである。
【図１６】いくつかの実施形態による例示的なフローチャートである。
【図１７】いくつかの実施形態による例示的なフローチャートである。
【図１８】いくつかの実施形態による例示的なフローチャートである。
【発明を実施するための形態】
【００２８】
概して、本明細書で使用されるすべての用語は、異なる意味が、明確に与えられ、および／またはその用語が使用されるコンテキストから暗示されない限り、関連する技術分野における、それらの用語の通常の意味に従って解釈されるべきである。１つの（ａ／ａｎ）／その（ｔｈｅ）エレメント、装置、構成要素、手段、ステップなどへのすべての言及は、別段明示的に述べられていない限り、そのエレメント、装置、構成要素、手段、ステップなどの少なくとも１つの事例に言及しているものとしてオープンに解釈されるべきである。本明細書で開示されるいずれの方法のステップも、ステップが、別のステップに後続するかまたは先行するものとして明示的に説明されない限り、および／あるいはステップが別のステップに後続するかまたは先行しなければならないことが暗黙的である場合、開示される厳密な順序で実施される必要はない。本明細書で開示される実施形態のうちのいずれかの任意の特徴は、適切であればいかなる場合も、任意の他の実施形態に適用され得る。同じように、実施形態のうちのいずれかの任意の利点は、任意の他の実施形態に適用され得、その逆も同様である。同封の実施形態の他の目的、特徴、および利点は、以下の説明から明らかになろう。本明細書で使用されるＵＥは、ネットワークノード（たとえばＴＲＰ）と無線で通信することが可能な無線デバイス（モバイルまたは固定）である。ＵＥの例は、スマートフォン、センサー、アプライアンス（または任意の他のＩｏＴデバイス）、ラップトップコンピュータ、タブレットなどを含む。本明細書で使用されるネットワークノードは、５ＧまたはＮＲ基地局（たとえばｇＮＢ、ＴＲＰ）あるいはＬｏｎｇ  Ｔｅｒｍ  Ｅｖｏｌｕｔｉｏｎ（ＬＴＥ）基地局（たとえばｅノードＢ／ｅＮＢ）あるいは任意の他の好適な無線ネットワークノードであり得る。さらなる例が以下で提供される。
【００２９】
上記で説明されたように、ＵＥおよび／またはネットワーク能力ならびに／あるいはシステム要件に応じて、コードブックベースプリコーディングまたは非コードブックベースプリコーディングのいずれかのために無線デバイスを設定することが可能であることが望ましい。コードブックベースＵＬ送信と非コードブックベースＵＬ送信とは、一般に、異なるタイプのＳＲＳ送信から恩恵を受け、すなわち、コードブックベースの場合、プリコーディングされていないＳＲＳが選好され、非コードブックベースの場合、プリコーディングされた（ｐｒｅｃｏｄｅｄ）ＳＲＳが選好される。
【００３０】
ＵＥがＵＬプリコーダ候補をＵＥ自体によって決定するために、ＵＥは、ＤＬチャネル推定値を獲得するためにＣＳＩ−ＲＳなどのＤＬ参照信号を測定する必要がある。このＤＬチャネル推定値に基づいて、およびＴＸ／ＲＸ相反性が成り立つと仮定すると、ＵＥは、ＤＬチャネル推定値をＵＬチャネル推定値に変換し、そのＵＬチャネル推定値を使用して、たとえばＵＬチャネル推定値の特異値分解（ＳＶＤ：ｓｉｎｇｕｌａｒ  ｖａｌｕｅ  ｄｅｃｏｍｐｏｓｉｔｉｏｎ）を実施することによって、または他の確立されたプリコーダ決定方法によって、ＵＬプリコーダ候補のセットを決定することができる。
【００３１】
非コードブックベースプリコーディングを使用するいくつかの実施形態では、相反性ベースビームフォーミングがＵＥによって適用され得るように、あるＣＳＩ−ＲＳリソースへの擬似コロケーション（ＱＣＬ：ｑｕａｓｉ  ｃｏ−ｌｏｃａｔｉｏｎ）指示が含まれる。これは、ＵＥが、示されたＱＣＬ仮定に基づいてプリコーダを決定することができるという利益を提供する。
【００３２】
ｇＮＢは、プリコーダ候補決定を助けるためにＵＥがどのＣＳＩ−ＲＳリソースを使用することができるかを伴って、暗黙的にまたは明示的に、ＵＥを設定し得る。ＮＲのためのいくつかの提案では、これは、あるＣＳＩ−ＲＳリソースが、たとえばＲＲＣ設定の一部として、ＵＥがＵＬサウンディングのために使用するようにスケジュールされた（１つまたは複数の）ＳＲＳリソースと相互に空間的に擬似コロケートされることを示すことによって、行われる。
【００３３】
いくつかの態様および実施形態では、ＵＥは、ＵＥが、今度のＳＲＳ送信のために、プリコーディングされたＳＲＳを使用するべきであることを示すプリコーディングインジケータを提供され得、プリコーディングインジケータは、たとえば、ＤＬ  ＲＳリソースインジケータ（たとえば、ＲＳリソースＩＤ（たとえば、ＣＳＩ−ＲＳリソースＩＤ）またはＴＣＩ）の形態のものである。いくつかの実施形態では、ＤＬ  ＲＳリソースインジケータはＳＲＳ送信セッティング中に含まれる。他の実施形態では、ＤＬ  ＲＳリソースインジケータは、ＵＥにシグナリングされ（たとえば、ダウンリンク制御情報（ＤＣＩ）を使用してシグナリングされ）得る。
【００３４】
したがって、いくつかの実施形態では、ＵＥにおけるＳＲＳ送信を決定するための方法は以下を含む。
１）ＴＲＰがＳＲＳ送信セッティングのセットを規定し、ＳＲＳ送信セッティングのうちのいくつかがＤＬ  ＲＳリソースインジケータ（たとえば、ＣＳＩ−ＲＳリソースＩＤまたはＴＣＩ）を含んでいる、
２）ＴＲＰが、ＳＲＳ送信セッティングへのポインタを含んでいるＤＣＩをシグナリングすることによって、ＵＥのための非周期ＳＲＳ送信をトリガする、
３）ＤＣＩを受信した後に、ＵＥは、ポインタが指すＳＲＳ送信セッティングがＤＬ  ＲＳリソースインジケータを含むかどうかを決定する、および
４）ＳＲＳ送信セッティングがＤＬ  ＲＳリソースインジケータを含むと決定したことの結果として、ＵＥは、候補プリコーディング行列（たとえば、ビーム形成ベクトル）を取得するためにＤＬ  ＲＳリソースインジケータを使用し、候補プリコーディング行列を使用してＳＲＳをプリコーディングし、プリコーディングされたＳＲＳを送信する。
【００３５】
本明細書で開示される問題点のうちの１つまたは複数に同じく対処する様々な追加の実施形態が、本明細書で提案される。
【００３６】
いくつかの実施形態では、ネットワークは、効率的なやり方でコードブックベースＵＬ送信と非コードブックベースＵＬ送信との間の高速動的スイッチングを実施することを可能にされ、それにより、ネットワーク性能を改善する。
【００３７】
添付の図面を参照しながら、次に、本明細書で企図される実施形態のうちのいくつかがより十分に説明される。しかしながら、他の実施形態は、本明細書で開示される主題の範囲内に含まれており、開示される主題は、本明細書に記載される実施形態のみに限定されるものとして解釈されるべきではなく、むしろ、これらの実施形態は、当業者に主題の範囲を伝達するために、例として提供される。
【００３８】
本明細書で開示されるいくつかの実施形態では、コードブックベースＵＬ送信と非コードブックベースＵＬ送信との間の動的スイッチングを可能にするための手段が提供される。いくつかの例では、ＳＲＳ送信の指示を、ＵＥがＳＲＳのためのプリコーディングを導出するのを助けるためにＤＬ  ＲＳリソースが使用され得るかどうかの指示と一緒にバンドルすること。ＤＬ  ＲＳリソースの指示が存在しない場合、ＵＥは、ＳＲＳが、プリコーディングされていない様式で送信されるものとし、後続のＰＵＳＣＨ送信がコードブックベース送信モードを使用して実施されると仮定し得る。いくつかの他の実施形態では、ＤＬ  ＲＳリソースの指示が存在する場合、ＵＥは、ＵＥがＳＲＳ送信のための１つまたは複数の候補プリコーディング行列を導出するために前記ＤＬ  ＲＳリソースを使用することができ、後続のＰＵＳＣＨ送信が非コードブックベース送信モードを使用して実施されると仮定し得る。
【００３９】
図２は、一実施形態の例示的なメッセージフローを示すメッセージフロー図である。第１のステップ１０において、ネットワークノード２００（たとえばＴＲＰ）は、異なるＳＲＳ送信セッティングを規定する。各ＳＲＳ送信セッティングは、たとえば、どのＳＲＳリソースを使用すべきか、ＳＲＳリソースごとにどの数のＳＲＳポートを使用すべきかなどに関する情報を含んでいることがある。いくつかの例では、いくつかのＳＲＳ送信セッティングは、ＤＬ  ＲＳリソースインジケータ（たとえば、ＣＳＩ−ＲＳ  Ｉｄ（または他の参照信号Ｉｄ）へのＱＣＬ情報に関する情報）を含んでおり、いくつかはＤＬ  ＲＳリソースインジケータを含んでいない。ＤＬ  ＲＳリソースインジケータは、（一般に非コードブックベースＵＬ送信中に使用される）相反性ベースＵＬプリコーディングを基づかせるためのＤＬ  ＲＳリソースを見つけるために、無線デバイス１００によって使用され得る。ステップ２０において、ネットワークノードは、ＳＲＳ送信セッティングの規定を備えるメッセージを無線デバイスに送る。
【００４０】
次のステップ３０において、ネットワークノード２００は、メッセージ、たとえば、ＳＲＳ送信セッティングのうちの１つへのポインタを含んでいるＤＣＩを設定する。ネットワークノード２００は、次いで、ステップ４０において、メッセージ（たとえばＤＣＩ）を無線デバイスに送ることによって非周期ＳＲＳ送信をトリガする。無線デバイス１００は、次いで、ステップ５０において、メッセージ（たとえばＤＣＩ）中のポインタによって識別されたＳＲＳ送信セッティングに従ってＳＲＳ送信を決定する。無線デバイス１００は、ステップ６０において、送信セッティングに従ってＳＲＳ送信を送る。ネットワークノード２００は、次いで、ステップ７０において、受信されたＳＲＳに基づいて好ましいプリコーダを決定する。ネットワークノード２００は、ステップ８０において、たとえばＭＣＳ、ＳＲＩおよび／またはＴＰＭＩを含む、無線デバイスがどのようにＵＬデータを送信するべきであるかを示すＵＬグラントを無線デバイス１００にシグナリングする。無線デバイス１００は、次いで、ステップ９０において、スケジュールされたＵＬ送信のために、受信されたパラメータおよびプリコーディング情報を適用する。
【００４１】
ＴＲＰは、ＵＬプリコーディングを決定するときにＵＥが使用し得る、より早期に送信されたＤＬ参照信号（ＲＳ）（たとえばＣＳＩ−ＲＳ）への擬似コロケーション（ＱＣＬ）仮定を示すことができる。
【００４２】
ＳＲＳ送信セッティング
ＳＲＳ送信がどのように行われるべきであるか、たとえばどのＳＲＳリソースを使用すべきか、ＳＲＳリソースごとのポートの数などが、ネットワークノード（たとえばＴＲＰ）からＵＥにシグナリングされる必要がある。（低オーバーヘッドのやり方で）これを解決するための１つのやり方は、ＳＲＳ−Ｃｏｎｆｉｇ  ＩＥの上位レイヤシグナリング（たとえばＲＲＣシグナリング）を使用してＳＲＳ送信セッティングのセットをあらかじめ規定し、次いで、ＵＥがどのＳＲＳ送信セッティングを適用するべきであるかをＤＣＩ中で示すことである。ＳＲＳ−Ｃｏｎｆｉｇ  ＩＥは、複数のＳＲＳ送信セッティングＩＥを備え得る。各ＳＲＳ送信セッティングＩＥは、ｉ）単一のＳＲＳリソースセットＩＥと、ｉｉ）各ＳＲＳリソースセットＩＥについて、ＳＲＳリソースセットＩＥ中で識別された各ＳＲＳリソースＩＥとを備え得る。ＳＲＳリソースＩＥは、たとえば、ＵＥが今度のＳＲＳ送信においてどのＳＲＳポートを使用するべきであるかに関する情報を含んでいることがある。
【００４３】
ＳＲＳ関係パラメータを規定するための、３ＧＰＰ  ＴＳ３８．３３１「無線リソース制御（ＲＲＣ）プロトコル仕様」において指定され得るそのような情報エレメントの例示的な説明が、以下で与えられる。
表１−ＳＲＳ−Ｃｏｎｆｉｇ  ＩＥ
2020536471.tif 000006
2020536471.tif 000007
2020536471.tif 000008
【００４４】
この実施形態では、ＳＲＳ送信セッティングのＲＲＣ設定は、ＩＥ  ＳＲＳ−Ｃｏｎｆｉｇを用いて実施され、ＩＥ  ＳＲＳ−Ｃｏｎｆｉｇは、各ＳＲＳリソースが、時間周波数グリッド上の参照信号の物理的マッピングの情報、時間領域情報、シーケンスＩＤなどを含んでいる、ＳＲＳ−Ｒｅｓｏｕｒｃｅｓのリスト（リストはリソースの「プール」をなす）を含んでいる。ＳＲＳ−Ｃｏｎｆｉｇは、ＳＲＳリソースのリストと、関連するＤＣＩトリガ状態とを含んでいる、ＳＲＳリソースセットのリストをも含んでいる。したがって、あるＤＣＩ状態がトリガされたとき、これは、関連するセット中のＳＲＳリソースがＵＥによって送信されるものとすることを示す。
【００４５】
いくつかの実施形態では、ＳＲＳ送信との、ＤＬ  ＲＳリソース（または略して「ＤＬ  ＲＳ」）の随意の関連付けが、ＳＲＳ−Ｃｏｎｆｉｇ関係情報エレメント（ＩＥ）中の随意のＩＥ（たとえば、ＳＲＳリソースＩＥおよび／またはＳＲＳリソースセットＩＥ）で達成される。
【００４６】
たとえば、各ＳＲＳリソースＩＥは、ＤＬ  ＲＳリソースインジケータ（たとえば、ＤＬ  ＲＳへの空間相互ＱＣＬ参照、または、ＤＬ  ＲＳへの参照を含むＴＣＩへの参照）を含んでいる随意のＤＬ  ＲＳリソースインジケータＩＥを含んでいることがある。ＤＬ  ＲＳがＣＳＩ−ＲＳである場合、参照は、表２において以下で示される例示的なＳＲＳリソースＩＥ中で示されているように、ＣＳＩ−ＲＳ−ＲｅｓｏｕｒｃｅＩｄへの参照であり得る。
表２−ＳＲＳリソースＩＥ
2020536471.tif 000009
2020536471.tif 000010
【００４７】
いくつかの例では、ＤＬ  ＲＳリソースインジケータＩＥは随意であるので、ＤＬ  ＲＳリソースインジケータＩＥは、存在していることも存在していないこともある。したがって、そのＩＥが存在し、ＳＲＳ−Ｒｅｓｏｕｒｃｅが送信のためにトリガされた場合、ＵＥは、（ＵＬ／ＤＬ相反性が成り立つという仮定の下で）ＳＲＳのプリコーディングを決定するために、示されたＤＬ  ＲＳリソース（たとえば、ＣＳＩ−ＲＳリソース）を利用し得る。他の実施形態では、位相追跡参照信号（ＰＴＲＳ）、追跡参照信号（ＴＲＳ）または同期信号ブロック（ＳＳＢ）のＩＤなど、他のタイプのＤＬ  ＲＳが示され得る。
【００４８】
ＳＲＳリソースＩＥ中に随意のＩＥを含めることの利益は、プリコーディングされていないＳＲＳリソースとプリコーディングされたＳＲＳリソースの両方が同じＤＣＩを用いて同時にトリガされ得ることであり、これは、ｇＮＢが、送信されたＳＲＳリソースの品質に基づいて、コードブックベース送信および非コードブックベース送信のうちのどちらがスケジュールされるものとするかを動的に選択することができることを暗示する。
【００４９】
他の実施形態では、随意のＤＬ  ＲＳリソースインジケータＩＥは、ＳＲＳリソースセットレベル上に配置され、これは、ＳＲＳリソースセット中に含まれるＳＲＳリソースのすべてがプリコーディングされたかまたはプリコーディングされていないかのいずれかであることを暗示する。ＳＲＳリソースセットＩＥの一例が、表３において以下で与えられる。
表３−ＳＲＳリソースセットＩＥ
2020536471.tif 000011
【００５０】
この手法は、１つのアンテナポートを含んでいる一般に複数のＳＲＳリソースが各々非コードブックベース動作において送信され、ＳＲＳリソースセットレベル上にＤＬ  ＲＳリソースインジケータを配置することがより意味をなすので、より好都合であり得る。ｇＮＢは、依然として、異なるＤＣＩ状態を使用して異なるＳＲＳリソースセットをトリガすることによって、動的に非コードブックベース送信とコードブックベース送信との間で選択することができる。たとえば、ｇＮＢは、ＤＬ  ＲＳリソースインジケータを含むＳＲＳ送信セッティングを識別するＤＣＩをＵＥに送信することによって非コードブック送信を選択することができ、ｇＮＢは、ＤＬ  ＲＳリソースインジケータを含まないＳＲＳ送信セッティングを識別するＤＣＩをＵＥに送信することによってコードブック送信を選択することができる。
【００５１】
他の実施形態では、ＤＬ  ＲＳリソースインジケータは、１つまたは複数のＤＬ  ＲＳリソースＩＤへの参照を含んでいるインジケータであり得る。たとえば、ＤＬ  ＲＳリソースインジケータは、１つまたは複数のＤＬ  ＲＳリソースＩＤへの参照を含んでいる送信設定インジケータ（ＴＣＩ：Ｔｒａｎｓｍｉｓｓｉｏｎ  Ｃｏｎｆｉｇｕｒａｔｉｏｎ  Ｉｎｄｉｃａｔｏｒ）であり得る。しかしながら、ＴＣＩとＤＬ  ＲＳ  ＩＤとの間のマッピングは、ＲＲＣではなく、たとえばＭＡＣ  ＣＥまたはＤＣＩシグナリングを使用して、より動的に更新され得る。これは、ＳＲＳ送信セッティングおよびＤＬ  ＲＳとの関連付けが、補助機構を使用してＴＣＩ対ＤＬ  ＲＳマッピングを更新することによって動的に更新され得ることを暗示する。この実施形態の一例が、以下で、表４によって与えられる。
表４−ＳＲＳリソースセットＩＥ
2020536471.tif 000012
【００５２】
本明細書で説明される主題は、任意の好適な構成要素を使用する任意の適切なタイプのシステムにおいて実装され得るが、本明細書で開示される実施形態は、図３に示されている例示的な無線ネットワークなどの無線ネットワークに関して説明される。簡単のために、図３の無線ネットワークは、ネットワーク３００、ここからは全体的に２００として言及されるネットワークノード２００および２００ｂ、ならびに、ここからは全体的に１００として言及される無線デバイス１００、１００ｂ、および１００ｃのみを図示する。実際には、無線ネットワーク３００は、無線デバイス１００間の通信、あるいは無線デバイス１００と、固定電話、サービスプロバイダ、または任意の他のネットワークノードもしくはエンドデバイスなどの別の通信デバイスとの間の通信をサポートするのに好適な任意の追加のエレメントをさらに含み得る。示されている構成要素のうち、ネットワークノード２００および無線デバイス（無線デバイス）１００は、追加の詳細とともに図示される。無線ネットワークは、１つまたは複数の無線デバイスに通信および他のタイプのサービスを提供して、無線デバイスの、無線ネットワークへのアクセス、および／あるいは、無線ネットワークによってまたは無線ネットワークを介して提供されるサービスの使用を容易にし得る。
【００５３】
無線ネットワークは、任意のタイプの通信、電気通信、データ、セルラー、および／または無線ネットワーク、あるいは他の同様のタイプのシステムを含み、および／またはそれらとインターフェースし得る。いくつかの実施形態では、無線ネットワークは、特定の規格あるいは他のタイプのあらかじめ規定されたルールまたはプロシージャに従って動作するように設定され得る。したがって、無線ネットワークの特定の実施形態は、モバイル通信用グローバルシステム（ＧＳＭ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、Ｌｏｎｇ  Ｔｅｒｍ  Ｅｖｏｌｕｔｉｏｎ（ＬＴＥ）、ならびに／あるいは他の好適な２Ｇ、３Ｇ、４Ｇ、または５Ｇ規格などの通信規格、ＩＥＥＥ８０２．１１規格などの無線ローカルエリアネットワーク（ＷＬＡＮ）規格、ならびに／あるいは、ワールドワイドインターオペラビリティフォーマイクロウェーブアクセス（ＷｉＭａｘ）、Ｂｌｕｅｔｏｏｔｈ、Ｚ−Ｗａｖｅおよび／またはＺｉｇＢｅｅ規格など、任意の他の適切な無線通信規格を実装し得る。
【００５４】
ネットワーク３００は、１つまたは複数のバックホールネットワーク、コアネットワーク、ＩＰネットワーク、公衆交換電話網（ＰＳＴＮ）、パケットデータネットワーク、光ネットワーク、ワイドエリアネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、およびデバイス間の通信を可能にするための他のネットワークを備え得る。
【００５５】
ネットワークノード２００と無線デバイス１００とは、以下でより詳細に説明される様々な構成要素を備える。これらの構成要素は、無線ネットワークにおいて無線接続を提供することなど、ネットワークノードおよび／または無線デバイス機能性を提供するために協働する。異なる実施形態では、無線ネットワークは、任意の数の有線または無線ネットワーク、ネットワークノード、基地局、コントローラ、無線デバイス、中継局、ならびに／あるいは有線接続を介してかまたは無線接続を介してかにかかわらず、データおよび／または信号の通信を容易にするかまたはその通信に参加し得る、任意の他の構成要素またはシステムを備え得る。
【００５６】
本明細書で使用されるネットワークノードは、無線デバイスと、ならびに／あるいは、無線デバイスへの無線アクセスを可能にし、および／または提供する、および／または、無線ネットワークにおいて他の機能（たとえば、アドミニストレーション）を実施するための、無線ネットワーク中の他のネットワークノードまたは機器と、直接または間接的に通信することが可能な、そうするように設定された、構成された、および／または動作可能な機器を指す。ネットワークノードの例は、限定はしないが、アクセスポイント（ＡＰ）（たとえば、無線アクセスポイント）、基地局（ＢＳ）（たとえば、無線基地局、ノードＢ、エボルブドノードＢ（ｅＮＢ）およびＮＲノードＢ（ｇＮＢ））を含む。基地局は、基地局が提供するカバレッジの量（または、言い方を変えれば、基地局の送信電力レベル）に基づいてカテゴリー分類され得、その場合、フェムト基地局、ピコ基地局、マイクロ基地局、またはマクロ基地局と呼ばれることもある。基地局は、リレーを制御する、リレーノードまたはリレードナーノードであり得る。ネットワークノードは、リモート無線ヘッド（ＲＲＨ）と呼ばれることがある、集中型デジタルユニットおよび／またはリモートラジオユニット（ＲＲＵ）など、分散型無線基地局の１つまたは複数（またはすべて）の部分をも含み得る。そのようなリモートラジオユニットは、アンテナ統合無線機としてアンテナと統合されることも統合されないこともある。分散型無線基地局の部分は、分散型アンテナシステム（ＤＡＳ）において、ノードと呼ばれることもある。ネットワークノードのまたさらなる例は、マルチ規格無線（ＭＳＲ）ＢＳなどのＭＳＲ機器、無線ネットワークコントローラ（ＲＮＣ）または基地局コントローラ（ＢＳＣ）などのネットワークコントローラ、基地トランシーバ局（ＢＴＳ）、送信ポイント、送信ノード、マルチセル／マルチキャスト協調エンティティ（ＭＣＥ）、コアネットワークノード（たとえば、ＭＳＣ、ＭＭＥ）、Ｏ＆Ｍノード、ＯＳＳノード、ＳＯＮノード、測位ノード（たとえば、Ｅ−ＳＭＬＣ）、および／あるいはＭＤＴを含む。別の例として、ネットワークノードは、以下でより詳細に説明されるように、仮想ネットワークノードであり得る。しかしながら、より一般的には、ネットワークノードは、無線ネットワークへのアクセスを可能にし、および／または無線デバイスに提供し、あるいは、無線ネットワークにアクセスした無線デバイスに何らかのサービスを提供することが可能な、そうするように設定された、構成された、および／または動作可能な任意の好適なデバイス（またはデバイスのグループ）を表し得る。
【００５７】
図３では、ネットワークノード２００は、処理回路要素２１０と、デバイス可読媒体２２０と、インターフェース２３０と、補助機器２４０と、電源２５０と、電力回路要素２６０と、アンテナ２７０とを含む。図３の例示的な無線ネットワーク中に示されているネットワークノード２００は、ハードウェア構成要素の示されている組合せを含むデバイスを表し得るが、他の実施形態は、構成要素の異なる組合せをもつネットワークノードを備え得る。ネットワークノードが、本明細書で開示されるタスク、特徴、機能および方法を実施するために必要とされるハードウェアおよび／またはソフトウェアの任意の好適な組合せを備えることを理解されたい。その上、ネットワークノード２００の構成要素が、より大きいボックス内に位置する単一のボックスとして、または複数のボックス内で入れ子にされている単一のボックスとして図示されているが、実際には、ネットワークノードは、単一の示されている構成要素を組成する複数の異なる物理構成要素を備え得る（たとえば、デバイス可読媒体２２０は、複数の別個のハードドライブならびに複数のＲＡＭモジュールを備え得る）。
【００５８】
同様に、ネットワークノード２００は、複数の物理的に別個の構成要素（たとえば、ノードＢ構成要素およびＲＮＣ構成要素、またはＢＴＳ構成要素およびＢＳＣ構成要素など）から組み立てられ得、これらは各々、それら自体のそれぞれの構成要素を有し得る。ネットワークノード２００が複数の別個の構成要素（たとえば、ＢＴＳ構成要素およびＢＳＣ構成要素）を備えるいくつかのシナリオでは、別個の構成要素のうちの１つまたは複数が、数個のネットワークノードの間で共有され得る。たとえば、単一のＲＮＣが、複数のノードＢを制御し得る。そのようなシナリオでは、各一意のノードＢとＲＮＣとのペアは、いくつかの事例では、単一の別個のネットワークノードと考えられ得る。いくつかの実施形態では、ネットワークノード２００は、複数の無線アクセス技術（ＲＡＴ）をサポートするように設定され得る。そのような実施形態では、いくつかの構成要素は複製され得（たとえば、異なるＲＡＴのための別個のデバイス可読媒体２２０）、いくつかの構成要素は再利用され得る（たとえば、同じアンテナ２７０がＲＡＴによって共有され得る）。ネットワークノード２００は、ネットワークノード２００に統合された、たとえば、ＧＳＭ、ＷＣＤＭＡ、ＬＴＥ、ＮＲ、ＷｉＦｉ、またはＢｌｕｅｔｏｏｔｈ無線技術など、異なる無線技術のための様々な示されている構成要素の複数のセットをも含み得る。これらの無線技術は、同じまたは異なるチップまたはチップのセット、およびネットワークノード２００内の他の構成要素に統合され得る。
【００５９】
処理回路要素２１０は、ネットワークノードによって提供されるものとして本明細書で説明される、任意の決定動作、計算動作、または同様の動作（たとえば、いくつかの取得動作）を実施するように設定される。処理回路要素２１０によって実施されるこれらの動作は、処理回路要素２１０によって取得された情報を、たとえば、取得された情報を他の情報に変換することによって、処理すること、取得された情報または変換された情報をネットワークノードに記憶された情報と比較すること、ならびに／あるいは、取得された情報または変換された情報に基づいて、および前記処理が決定を行ったことの結果として、１つまたは複数の動作を実施することを含み得る。
【００６０】
処理回路要素２１０は、単体で、またはデバイス可読媒体２２０などの他のネットワークノード２００構成要素と併せてのいずれかで、ネットワークノード２００機能性を提供するように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せを備え得る。たとえば、処理回路要素２１０は、デバイス可読媒体２２０に記憶された命令、または処理回路要素２１０内のメモリに記憶された命令を実行し得る。そのような機能性は、本明細書で説明される様々な無線特徴、機能、または利益のうちのいずれかを提供することを含み得る。いくつかの実施形態では、処理回路要素２１０は、システムオンチップ（ＳＯＣ）を含み得る。
【００６１】
いくつかの実施形態では、処理回路要素２１０は、無線周波数（ＲＦ）トランシーバ回路要素２１２とベースバンド処理回路要素２１４とのうちの１つまたは複数を含み得る。いくつかの実施形態では、無線周波数（ＲＦ）トランシーバ回路要素２１２とベースバンド処理回路要素２１４とは、別個のチップ（またはチップのセット）、ボード、または無線ユニットおよびデジタルユニットなどのユニット上にあり得る。代替実施形態では、ＲＦトランシーバ回路要素２１２とベースバンド処理回路要素２１４との一部または全部は、同じチップまたはチップのセット、ボード、あるいはユニット上にあり得る。
【００６２】
いくつかの実施形態では、ネットワークノード、基地局、ｅＮＢまたは他のそのようなネットワークデバイスによって提供されるものとして本明細書で説明される機能性の一部または全部は、デバイス可読媒体２２０、または処理回路要素２１０内のメモリに記憶された、命令を実行する処理回路要素２１０によって実施され得る。代替実施形態では、機能性の一部または全部は、ハードワイヤード様式などで、別個のまたは個別のデバイス可読媒体に記憶された命令を実行することなしに、処理回路要素２１０によって提供され得る。それらの実施形態のいずれでも、デバイス可読記憶媒体に記憶された命令を実行するか否かにかかわらず、処理回路要素２１０は、説明される機能性を実施するように設定され得る。そのような機能性によって提供される利益は、処理回路要素２１０単独に、またはネットワークノード２００の他の構成要素に限定されないが、全体としてネットワークノード２００によって、ならびに／または概してエンドユーザおよび無線ネットワークによって、享受される。
【００６３】
デバイス可読媒体２２０は、限定はしないが、永続記憶域、固体メモリ、リモートマウントメモリ、磁気媒体、光媒体、ランダムアクセスメモリ（ＲＡＭ）、読取り専用メモリ（ＲＯＭ）、大容量記憶媒体（たとえば、ハードディスク）、リムーバブル記憶媒体（たとえば、フラッシュドライブ、コンパクトディスク（ＣＤ）またはデジタルビデオディスク（ＤＶＤ））を含む、任意の形態の揮発性または不揮発性コンピュータ可読メモリ、ならびに／あるいは、処理回路要素２１０によって使用され得る情報、データ、および／または命令を記憶する、任意の他の揮発性または不揮発性、非一時的デバイス可読および／またはコンピュータ実行可能メモリデバイスを備え得る。デバイス可読媒体２２０は、コンピュータプログラム、ソフトウェア、論理、ルール、コード、テーブルなどのうちの１つまたは複数を含むアプリケーション、および／または処理回路要素２１０によって実行されることが可能であり、ネットワークノード２００によって利用される、他の命令を含む、任意の好適な命令、データまたは情報を記憶し得る。デバイス可読媒体２２０は、処理回路要素２１０によって行われた計算および／またはインターフェース２３０を介して受信されたデータを記憶するために使用され得る。いくつかの実施形態では、処理回路要素２１０およびデバイス可読媒体２２０は、統合されていると考えられ得る。
【００６４】
インターフェース２３０は、ネットワークノード２００、ネットワーク３００、および／または無線デバイス１００の間のシグナリングおよび／またはデータの有線または無線通信において使用される。示されているように、インターフェース２３０は、たとえば有線接続上でネットワーク３００との間でデータを送るおよび受信するための（１つまたは複数の）ポート／（１つまたは複数の）端末２３４を備える。インターフェース２３０は、アンテナ２７０に結合されるか、またはいくつかの実施形態では、アンテナ２７０の一部であり得る、無線フロントエンド回路要素２３２をも含む。無線フロントエンド回路要素２３２は、フィルタ２３８と増幅器２３６とを備える。無線フロントエンド回路要素２３２は、アンテナ２７０および処理回路要素２１０に接続され得る。無線フロントエンド回路要素は、アンテナ２７０と処理回路要素２１０との間で通信される信号を調節するように設定され得る。無線フロントエンド回路要素２３２は、無線接続を介して他のネットワークノードまたは無線デバイスに送出されるべきであるデジタルデータを受信し得る。無線フロントエンド回路要素２３２は、デジタルデータを、フィルタ２３８および／または増幅器２３６の組合せを使用して適切なチャネルおよび帯域幅パラメータを有する無線信号に変換し得る。無線信号は、次いで、アンテナ２７０を介して送信され得る。同様に、データを受信するとき、アンテナ２７０は無線信号を収集し得、次いで、無線信号は無線フロントエンド回路要素２３２によってデジタルデータに変換される。デジタルデータは、処理回路要素２１０に受け渡され得る。他の実施形態では、インターフェースは、異なる構成要素および／または構成要素の異なる組合せを備え得る。
【００６５】
いくつかの代替実施形態では、ネットワークノード２００は別個の無線フロントエンド回路要素２３２を含まないことがあり、代わりに、処理回路要素２１０は、無線フロントエンド回路要素を備え得、別個の無線フロントエンド回路要素２３２なしでアンテナ２７０に接続され得る。同様に、いくつかの実施形態では、ＲＦトランシーバ回路要素２１２の全部または一部が、インターフェース２３０の一部と考えられ得る。さらに他の実施形態では、インターフェース２３０は、無線ユニット（図示せず）の一部として、１つまたは複数のポートまたは端末２３４と、無線フロントエンド回路要素２３２と、ＲＦトランシーバ回路要素２１２とを含み得、インターフェース２３０は、デジタルユニット（図示せず）の一部であるベースバンド処理回路要素２１４と通信し得る。
【００６６】
アンテナ２７０は、無線信号２７５を送り、および／または受信するように設定された、１つまたは複数のアンテナまたはアンテナアレイを含み得る。アンテナ２７０は、無線フロントエンド回路要素２３２に結合され得、データおよび／または信号を無線で送信および受信することが可能な任意のタイプのアンテナであり得る。いくつかの実施形態では、アンテナ２７０は、たとえば、２ＧＨｚと６６ＧＨｚとの間の無線信号を送信／受信するように動作可能な１つまたは複数の全方向の、セクタまたはパネルアンテナを備え得る。全方向アンテナは、任意の方向に無線信号を送信／受信するために使用され得、セクタアンテナは、特定のエリア内のデバイスから無線信号を送信／受信するために使用され得、パネルアンテナは、比較的直線ラインで無線信号を送信／受信するために使用される見通し線アンテナであり得る。いくつかの事例では、２つ以上のアンテナの使用は、ＭＩＭＯと呼ばれることがある。いくつかの実施形態では、アンテナ２７０は、ネットワークノード２００とは別個であり得、インターフェースまたはポートを通してネットワークノード２００に接続可能であり得る。
【００６７】
アンテナ２７０、インターフェース２３０、および／または処理回路要素２１０は、ネットワークノードによって実施されるものとして本明細書で説明される任意の受信動作および／またはいくつかの取得動作を実施するように設定され得る。任意の情報、データおよび／または信号が、無線デバイス、別のネットワークノードおよび／または任意の他のネットワーク機器から受信され得る。同様に、アンテナ２７０、インターフェース２３０、および／または処理回路要素２１０は、ネットワークノードによって実施されるものとして本明細書で説明される任意の送信動作を実施するように設定され得る。任意の情報、データおよび／または信号が、無線デバイス、別のネットワークノードおよび／または任意の他のネットワーク機器に送信され得る。
【００６８】
電力回路要素２６０は、電力管理回路要素を備えるか、または電力管理回路要素に結合され得、本明細書で説明される機能性を実施するための電力を、ネットワークノード２００の構成要素に供給するように設定される。電力回路要素２６０は、電源２５０から電力を受信し得る。電源２５０および／または電力回路要素２６０は、それぞれの構成要素に好適な形式で（たとえば、各それぞれの構成要素のために必要とされる電圧および電流レベルにおいて）、ネットワークノード２００の様々な構成要素に電力を提供するように設定され得る。電源２５０は、電力回路要素２６０および／またはネットワークノード２００中に含まれるか、あるいは電力回路要素２６０および／またはネットワークノード２００の外部にあるかのいずれかであり得る。たとえば、ネットワークノード２００は、電気ケーブルなどの入力回路要素またはインターフェースを介して外部電源（たとえば、電気コンセント）に接続可能であり得、それにより、外部電源は電力回路要素２６０に電力を供給する。さらなる例として、電源２５０は、電力回路要素２６０に接続された、または電力回路要素２６０中で統合された、バッテリーまたはバッテリーパックの形態の電力源を備え得る。バッテリーは、外部電源が落ちた場合、バックアップ電力を提供し得る。光起電力デバイスなどの他のタイプの電源も使用され得る。
【００６９】
ネットワークノード２００の代替実施形態は、本明細書で説明される機能性、および／または本明細書で説明される主題をサポートするために必要な機能性のうちのいずれかを含む、ネットワークノードの機能性のいくつかの態様を提供することを担当し得る、図３に示されている構成要素以外の追加の構成要素を含み得る。たとえば、ネットワークノード２００は、ネットワークノード２００への情報の入力を可能にするための、およびネットワークノード２００からの情報の出力を可能にするための、ユーザインターフェース機器を含み得る。これは、ユーザが、ネットワークノード２００のための診断、メンテナンス、修復、および他の管理機能を実施することを可能にし得る。
【００７０】
本明細書で使用される無線デバイス（無線デバイス）は、ネットワークノードおよび／または他の無線デバイスと無線で通信することが可能な、そうするように設定された、構成された、および／または動作可能なデバイスを指す。別段に記載されていない限り、無線デバイスという用語は、本明細書ではユーザ機器（ＵＥ）と互換的に使用され得る。無線で通信することは、空中で情報を伝達するのに好適な、電磁波、電波、赤外波、および／または他のタイプの信号を使用して無線信号２７５を送信および／または受信することを伴い得る。いくつかの実施形態では、無線デバイスは、直接人間対話なしに情報を送信および／または受信するように設定され得る。たとえば、無線デバイスは、内部または外部イベントによってトリガされたとき、あるいは、ネットワークからの要求に応答して、所定のスケジュールでネットワークに情報を送信するように設計され得る。無線デバイスの例は、限定はしないが、スマートフォン、モバイルフォン、セルフォン、ボイスオーバーＩＰ（ＶｏＩＰ）フォン、無線ローカルループ電話、デスクトップコンピュータ、携帯情報端末（ＰＤＡ）、無線カメラ、ゲーミングコンソールまたはデバイス、音楽記憶デバイス、再生器具、ウェアラブル端末デバイス、無線エンドポイント、移動局、タブレット、ラップトップ、ラップトップ内蔵機器（ＬＥＥ）、ラップトップ搭載機器（ＬＭＥ）、スマートデバイス、無線顧客構内機器（ＣＰＥ：ｃｕｓｔｏｍｅｒ  ｐｒｅｍｉｓｅ  ｅｑｕｉｐｍｅｎｔ）、車載無線端末デバイスなどを含む。無線デバイスは、たとえばサイドリンク通信、車両対車両（Ｖ２Ｖ）、車両対インフラストラクチャ（Ｖ２Ｉ）、車両対あらゆるモノ（Ｖ２Ｘ）のための３ＧＰＰ規格を実装することによって、デバイス間（Ｄ２Ｄ）通信をサポートし得、この場合、Ｄ２Ｄ通信デバイスと呼ばれることがある。また別の特定の例として、モノのインターネット（ＩｏＴ）シナリオでは、無線デバイスは、監視および／または測定を実施し、そのような監視および／または測定の結果を別の無線デバイスおよび／またはネットワークノードに送信する、マシンまたは他のデバイスを表し得る。無線デバイスは、この場合、マシン間（Ｍ２Ｍ）デバイスであり得、Ｍ２Ｍデバイスは、３ＧＰＰコンテキストではＭＴＣデバイスと呼ばれることがある。１つの特定の例として、無線デバイスは、３ＧＰＰ狭帯域モノのインターネット（ＮＢ−ＩｏＴ）規格を実装するＵＥであり得る。そのようなマシンまたはデバイスの特定の例は、センサー、電力計などの計量デバイス、産業用機械類、あるいは家庭用または個人用電気器具（たとえば冷蔵庫、テレビジョンなど）、個人用ウェアラブル（たとえば、時計、フィットネストラッカーなど）である。他のシナリオでは、無線デバイスは車両または他の機器を表し得、車両または他の機器は、その動作ステータスを監視することおよび／またはその動作ステータスに関して報告すること、あるいはその動作に関連付けられた他の機能が可能である。上記で説明された無線デバイスは無線接続のエンドポイントを表し得、その場合には、デバイスは無線端末と呼ばれることがある。さらに、上記で説明された無線デバイスはモバイルで��り得、その場合には、デバイスはモバイルデバイスまたはモバイル端末と呼ばれることもある。
【００７１】
示されているように、無線デバイス１００は、アンテナ１１１と、インターフェース１１４と、処理回路要素１２０と、デバイス可読媒体１３０と、ユーザインターフェース機器１３２と、補助機器１３４と、電源１３６と、電力回路要素１３７とを含む。無線デバイス１００は、無線デバイス１００によってサポートされる、たとえば、ほんの数個を挙げると、ＧＳＭ、ＷＣＤＭＡ、ＬＴＥ、ＮＲ、ＷｉＦｉ、ＷｉＭＡＸ、またはＢｌｕｅｔｏｏｔｈ無線技術など、異なる無線技術のための示されている構成要素のうちの１つまたは複数の複数のセットを含み得る。これらの無線技術は、無線デバイス１００内の他の構成要素と同じまたは異なるチップまたはチップのセットに統合され得る。
【００７２】
アンテナ１１１は、無線信号２７５を送り、および／または受信するように設定された、１つまたは複数のアンテナまたはアンテナアレイを含み得、インターフェース１１４に接続される。いくつかの代替実施形態では、アンテナ１１１は、無線デバイス１００とは別個であり、インターフェースまたはポートを通して無線デバイス１００に接続可能であり得る。アンテナ１１１、インターフェース１１４、および／または処理回路要素１２０は、無線デバイスによって実施されるものとして本明細書で説明される任意の受信動作または送信動作を実施するように設定され得る。任意の情報、データおよび／または信号が、ネットワークノードおよび／または別の無線デバイスから受信され得る。いくつかの実施形態では、無線フロントエンド回路要素および／またはアンテナ１１１は、インターフェースと考えられ得る。
【００７３】
示されているように、インターフェース１１４は、無線フロントエンド回路要素１１２とアンテナ１１１とを備える。無線フロントエンド回路要素１１２は、１つまたは複数のフィルタ１１８と増幅器１１６とを備える。無線フロントエンド回路要素１１２は、アンテナ１１１および処理回路要素１２０に接続され、アンテナ１１１と処理回路要素１２０との間で通信される信号を調節するように設定される。無線フロントエンド回路要素１１２は、アンテナ１１１に結合されるか、またはアンテナ１１１の一部であり得る。いくつかの実施形態では、無線デバイス１００は別個の無線フロントエンド回路要素１１２を含まないことがあり、むしろ、処理回路要素１２０は、無線フロントエンド回路要素を備え得、アンテナ１１１に接続され得る。同様に、いくつかの実施形態では、ＲＦトランシーバ回路要素１２２の一部または全部が、インターフェース１１４の一部と考えられ得る。無線フロントエンド回路要素１１２は、無線接続を介して他のネットワークノードまたは無線デバイスに送出されるべきであるデジタルデータを受信し得る。無線フロントエンド回路要素１１２は、デジタルデータを、フィルタ１１８および／または増幅器１１６の組合せを使用して適切なチャネルおよび帯域幅パラメータを有する無線信号に変換し得る。無線信号は、次いで、アンテナ１１１を介して送信され得る。同様に、データを受信するとき、アンテナ１１１は無線信号を収集し得、次いで、無線信号は無線フロントエンド回路要素１１２によってデジタルデータに変換される。デジタルデータは、処理回路要素１２０に受け渡され得る。他の実施形態では、インターフェースは、異なる構成要素および／または構成要素の異なる組合せを備え得る。
【００７４】
処理回路要素１２０は、単体で、またはデバイス可読媒体１３０などの他の無線デバイス１００構成要素と併せてのいずれかで、無線デバイス１００機能性を提供するように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せを備え得る。そのような機能性は、本明細書で説明される様々な無線特徴または利益のうちのいずれかを提供することを含み得る。たとえば、処理回路要素１２０は、本明細書で開示される機能性を提供するために、デバイス可読媒体１３０に記憶された命令、または処理回路要素１２０内のメモリに記憶された命令を実行し得る。
【００７５】
示されているように、処理回路要素１２０は、ＲＦトランシーバ回路要素１２２、ベースバンド処理回路要素１２４、およびアプリケーション処理回路要素１２６のうちの１つまたは複数を含む。他の実施形態では、処理回路要素は、異なる構成要素および／または構成要素の異なる組合せを備え得る。いくつかの実施形態では、無線デバイス１００の処理回路要素１２０は、ＳＯＣを備え得る。いくつかの実施形態では、ＲＦトランシーバ回路要素１２２、ベースバンド処理回路要素１２４、およびアプリケーション処理回路要素１２６は、別個のチップまたはチップのセット上にあり得る。代替実施形態では、ベースバンド処理回路要素１２４およびアプリケーション処理回路要素１２６の一部または全部は１つのチップまたはチップのセットになるように組み合わせられ得、ＲＦトランシーバ回路要素１２２は別個のチップまたはチップのセット上にあり得る。さらに代替の実施形態では、ＲＦトランシーバ回路要素１２２およびベースバンド処理回路要素１２４の一部または全部は同じチップまたはチップのセット上にあり得、アプリケーション処理回路要素１２６は別個のチップまたはチップのセット上にあり得る。また他の代替実施形態では、ＲＦトランシーバ回路要素１２２、ベースバンド処理回路要素１２４、およびアプリケーション処理回路要素１２６の一部または全部は、同じチップまたはチップのセット中で組み合わせられ得る。いくつかの実施形態では、ＲＦトランシーバ回路要素１２２は、インターフェース１１４の一部であり得る。ＲＦトランシーバ回路要素１２２は、処理回路要素１２０のためのＲＦ信号を調節し得る。
【００７６】
いくつかの実施形態では、無線デバイスによって実施されるものとして本明細書で説明される機能性の一部または全部は、デバイス可読媒体１３０に記憶された命令を実行する処理回路要素１２０によって提供され得、デバイス可読媒体１３０は、いくつかの実施形態では、コンピュータ可読記憶媒体であり得る。代替実施形態では、機能性の一部または全部は、ハードワイヤード様式などで、別個のまたは個別のデバイス可読記憶媒体に記憶された命令を実行することなしに、処理回路要素１２０によって提供され得る。それらの特定の実施形態のいずれでも、デバイス可読記憶媒体に記憶された命令を実行するか否かにかかわらず、処理回路要素１２０は、説明される機能性を実施するように設定され得る。そのような機能性によって提供される利益は、処理回路要素１２０単独に、または無線デバイス１００の他の構成要素に限定されないが、全体として無線デバイス１００によって、ならびに／または概してエンドユーザおよび無線ネットワークによって、享受される。
【００７７】
処理回路要素１２０は、無線デバイスによって実施されるものとして本明細書で説明される、任意の決定動作、計算動作、または同様の動作（たとえば、いくつかの取得動作）を実施するように設定され得る。処理回路要素１２０によって実施されるようなこれらの動作は、処理回路要素１２０によって取得された情報を、たとえば、取得された情報を他の情報に変換することによって、処理すること、取得された情報または変換された情報を無線デバイス１００によって記憶された情報と比較すること、ならびに／あるいは、取得された情報または変換された情報に基づいて、および前記処理が決定を行ったことの結果として、１つまたは複数の動作を実施することを含み得る。
【００７８】
デバイス可読媒体１３０は、コンピュータプログラム、ソフトウェア、論理、ルール、コード、テーブルなどのうちの１つまたは複数を含むアプリケーション、および／または処理回路要素１２０によって実行されることが可能な他の命令を記憶するように動作可能であり得る。デバイス可読媒体１３０は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、ならびに／あるいは、処理回路要素１２０によって使用され得る情報、データ、および／または命令を記憶する、任意の他の揮発性または不揮発性、非一時的デバイス可読および／またはコンピュータ実行可能メモリデバイスを含み得る。いくつかの実施形態では、処理回路要素１２０およびデバイス可読媒体１３０は、統合されていると考えられ得る。
【００７９】
ユーザインターフェース機器１３２は、人間のユーザが無線デバイス１００と対話することを可能にする構成要素を提供し得る。そのような対話は、視覚、聴覚、触覚など、多くの形式のものであり得る。ユーザインターフェース機器１３２は、ユーザへの出力を作り出すように、およびユーザが無線デバイス１００への入力を提供することを可能にするように動作可能であり得る。対話のタイプは、無線デバイス１００にインストールされるユーザインターフェース機器１３２のタイプに応じて変化し得る。たとえば、無線デバイス１００がスマートフォンである場合、対話はタッチスクリーンを介したものであり得、無線デバイス１００がスマートメーターである場合、対話は、使用量（たとえば、使用されたガロンの数）を提供するスクリーン、または（たとえば、煙が検出された場合）可聴警報を提供するスピーカーを通したものであり得る。ユーザインターフェース機器１３２は、入力インターフェース、デバイスおよび回路、ならびに、出力インターフェース、デバイスおよび回路を含み得る。ユーザインターフェース機器１３２は、無線デバイス１００への情報の入力を可能にするように設定され、処理回路要素１２０が入力情報を処理することを可能にするために、処理回路要素１２０に接続される。ユーザインターフェース機器１３２は、たとえば、マイクロフォン、近接度または他のセンサー、キー／ボタン、タッチディスプレイ、１つまたは複数のカメラ、ＵＳＢポート、あるいは他の入力回路要素を含み得る。ユーザインターフェース機器１３２はまた、無線デバイス１００からの情報の出力を可能にするように、および処理回路要素１２０が無線デバイス１００からの情報を出力することを可能にするように設定される。ユーザインターフェース機器１３２は、たとえば、スピーカー、ディスプレイ、振動回路要素、ＵＳＢポート、ヘッドフォンインターフェース、または他の出力回路要素を含み得る。ユーザインターフェース機器１３２の１つまたは複数の入力および出力インターフェース、デバイス、および回路を使用して、無線デバイス１００は、エンドユーザおよび／または無線ネットワークと通信し、エンドユーザおよび／または無線ネットワークが本明細書で説明される機能性から利益を得ることを可能にし得る。
【００８０】
補助機器１３４は、概して無線デバイスによって実施されないことがある、より固有の機能性を提供するように動作可能である。これは、様々な目的のために測定を行うための特殊化されたセンサー、有線通信などのさらなるタイプの通信のためのインターフェースなどを備え得る。補助機器１３４の構成要素の包含およびタイプは、実施形態および／またはシナリオに応じて変化し得る。
【００８１】
電源１３６は、いくつかの実施形態では、バッテリーまたはバッテリーパックの形態のものであり得る。外部電源（たとえば、電気コンセント）、光起電力デバイスまたは電池など、他のタイプの電源も使用され得る。無線デバイス１００は、電源１３６から、本明細書で説明または示される任意の機能性を行うために電源１３６からの電力を必要とする、無線デバイス１００の様々な部分に電力を配信するための、電力回路要素１３７をさらに備え得る。電力回路要素１３７は、いくつかの実施形態では、電力管理回路要素を備え得る。電力回路要素１３７は、追加または代替として、外部電源から電力を受信するように動作可能であり得、その場合、無線デバイス１００は、電力ケーブルなどの入力回路要素またはインターフェースを介して（電気コンセントなどの）外部電源に接続可能であり得る。電力回路要素１３７はまた、いくつかの実施形態では、外部電源から電源１３６に電力を配信するように動作可能であり得る。これは、たとえば、電源１３６の充電のためのものであり得る。電力回路要素１３７は、電源１３６からの電力に対して、その電力を、電力が供給される無線デバイス１００のそれぞれの構成要素に好適であるようにするために、任意のフォーマッティング、変換、または他の修正を実施し得る。
【００８２】
図３の無線デバイス１００に関して、一実施形態によれば、無線デバイスは、少なくとも１つのＳＲＳ送信セッティングを備える、設定されるべき１つまたは複数のＳＲＳリソースセットの規定を受信するように設定される。無線デバイスは、ＳＲＳ送信のために使用すべき、１つまたは複数の設定されたＳＲＳリソースセットから選択されたＳＲＳリソースセットの指示を受信するようにさらに設定される。無線デバイスは、選択されたＳＲＳリソースセットと少なくとも１つのＳＲＳ送信セッティングとに基づいてＳＲＳ送信のためのプリコーディング設定を決定するようにさらに設定される。無線デバイスは、決定されたプリコーディング設定に従ってＳＲＳを送信するようにさらに設定される。いくつかの態様では、無線デバイスは、ＳＲＳ送信のための決定されたプリコーディング設定が、コードブックベースプリコーディングまたは非コードブックベースプリコーディングのうちの１つを備えるように設定される。いくつかの例では、ＳＲＳ送信のためのプリコーディング設定は、プリコーディングインジケータに基づいて決定される。プリコーディングインジケータは、少なくとも１つのＳＲＳ送信セッティング中に備えられ得る。プリコーディングインジケータは、関連するダウンリンク参照信号（ＤＬ  ＲＳ）を識別するＤＬ  ＲＳ識別子であり得る。ＳＲＳ送信のための決定されたプリコーディング設定は、ＳＲＳ送信のための相反性ベースプリコーディングを適用することを含み得る。選択されたＳＲＳリソースはＤＬ  ＲＳに対する関連付けを備え得、無線デバイスは、関連するＤＬ  ＲＳに基づいてＳＲＳ送信のための相反性ベースプリコーダを決定するようにさらに設定される。ＳＲＳ送信は非周期送信であり得、選択されたＳＲＳリソースセットの指示はＤＬ制御情報（ＤＣＩ）インジケータを備え得る。
【００８３】
図３のネットワークノード２００に関して、一実施形態によれば、ネットワークノードは、無線デバイスに、少なくとも１つのＳＲＳ送信セッティングを備える、設定されるべき１つまたは複数のＳＲＳリソースセットの規定を送るように設定される。ネットワークノードは、ＳＲＳ送信のために使用すべき、１つまたは複数の設定されたＳＲＳリソースセットから選択されたＳＲＳリソースセットの指示を送ることであって、少なくとも１つのＳＲＳ送信セッティングがＳＲＳ送信のためのプリコーディング設定に対応する、選択されたＳＲＳリソースセットの指示を送ることを行うようにさらに設定される。ネットワークノードは、対応するプリコーディング設定に従ってＳＲＳ送信を受信するようにさらに設定される。いくつかの例では、ＳＲＳ送信のための対応するプリコーディング設定は、コードブックベースプリコーディングまたは非コードブックベースプリコーディングのうちの１つを備える。選択されたリソースセットはプリコーディングインジケータを備え得る。いくつかの例では、プリコーディングインジケータは、少なくとも１つのＳＲＳ送信セッティング中に備えられる。プリコーディングインジケータは、関連するダウンリンク参照信号（ＤＬ  ＲＳ）を識別するＤＬ  ＲＳ識別子であり得る。ＳＲＳ送信のための対応するプリコーディング設定は、ＳＲＳ送信のための相反性ベースプリコーディングを備え得る。選択されたＳＲＳリソースはＤＬ  ＲＳに対する関連付けを備え得、対応するプリコーディング設定は、関連するＤＬ  ＲＳに基づく相反性ベースプリコーディングを備える。いくつかの例では、ＳＲＳ送信は非周期送信であり、選択されたＳＲＳリソースセットの指示はＤＬ制御情報（ＤＣＩ）インジケータを備える。他の例では、ＳＲＳ送信は、周期的であるかまたは半永続的である。
【００８４】
別の実施形態によれば、ネットワークノード２００は、プロセッサ回路要素２１０と、デバイス可読媒体２２０の形態のメモリと、トランシーバ回路要素２１２とを備える基地局装置である。トランシーバ回路要素は、無線デバイスに、少なくとも１つのＳＲＳ送信セッティングを備える、設定されるべき１つまたは複数のＳＲＳリソースセットの指示を送るように設定される。トランシーバ回路要素は、ＳＲＳ送信のために使用すべき、１つまたは複数の設定されたＳＲＳリソースセットから選択されたＳＲＳリソースセットの指示を送ることであって、少なくとも１つのＳＲＳ送信セッティングがＳＲＳ送信のためのプリコーディング設定に対応する、選択されたＳＲＳリソースセットの指示を送ることを行うようにさらに設定される。トランシーバ回路要素は、対応するプリコーディング設定に従ってＳＲＳ送信を受信するようにさらに設定される。
【００８５】
図４は、本明細書で説明される様々な態様による、ＵＥの一実施形態を示す。本明細書で使用されるユーザ機器またはＵＥは、必ずしも、関連のあるデバイスを所有し、および／または動作させる人間のユーザという意味におけるユーザを有するとは限らない。代わりに、ＵＥは、人間のユーザへの販売、または人間のユーザによる動作を意図されるが、特定の人間のユーザに関連付けられないことがあるか、または特定の人間のユーザに初めに関連付けられないことがある、デバイス（たとえば、スマートスプリンクラーコントローラ）を表し得る。代替的に、ＵＥは、エンドユーザへの販売、またはエンドユーザによる動作を意図されないが、ユーザに関連付けられるか、またはユーザの利益のために動作され得る、デバイス（たとえば、スマート電力計）を表し得る。ＵＥ４００は、ＮＢ−ＩｏＴ  ＵＥ、マシン型通信（ＭＴＣ）ＵＥ、および／または拡張ＭＴＣ（ｅＭＴＣ）ＵＥを含む、第３世代パートナーシッププロジェクト（３ＧＰＰ）によって識別される任意のＵＥであり得る。図４に示されているＵＥ４００は、第３世代パートナーシッププロジェクト（３ＧＰＰ）のＧＳＭ、ＵＭＴＳ、ＬＴＥ、および／または５Ｇ規格など、３ＧＰＰによって公表された１つまたは複数の通信規格による通信のために設定された無線デバイスの一例である。前述のように、無線デバイスおよびＵＥという用語は、互換的に使用され得る。したがって、図４はＵＥであるが、本明細書で説明される構成要素は、無線デバイスに等しく適用可能であり、その逆も同様である。
【００８６】
図４では、ＵＥ４００は、入出力インターフェース４０５、無線周波数（ＲＦ）インターフェース４０９、ネットワーク接続インターフェース４１１、ランダムアクセスメモリ（ＲＡＭ）４１７と読取り専用メモリ（ＲＯＭ）４１９と記憶媒体４２１などとを含むメモリ４１５、通信サブシステム４３１、電源４１３、および／または他の構成要素、あるいはそれらの任意の組合せに動作可能に結合された、処理回路要素４０１を含む。記憶媒体４２１は、オペレーティングシステム４２３と、アプリケーションプログラム４２５と、データ４２７とを含む。他の実施形態では、記憶媒体４２１は、他の同様のタイプの情報を含み得る。いくつかのＵＥは、図４に示されている構成要素のすべてを利用するか、またはそれらの構成要素のサブセットのみを利用し得る。構成要素間の統合のレベルは、ＵＥごとに変化し得る。さらに、いくつかのＵＥは、複数のプロセッサ、メモリ、トランシーバ、送信機、受信機など、構成要素の複数のインスタンスを含んでいることがある。
【００８７】
図４では、処理回路要素４０１は、コンピュータ命令およびデータを処理するように設定され得る。処理回路要素４０１は、（たとえば、ディスクリート論理、ＦＰＧＡ、ＡＳＩＣなどにおける）１つまたは複数のハードウェア実装状態機械など、機械可読コンピュータプログラムとしてメモリに記憶された機械命令を実行するように動作可能な任意の逐次状態機械、適切なファームウェアと一緒のプログラマブル論理、適切なソフトウェアと一緒のマイクロプロセッサまたはデジタル信号プロセッサ（ＤＳＰ）など、１つまたは複数のプログラム内蔵、汎用プロセッサ、あるいは上記の任意の組合せを実装するように設定され得る。たとえば、処理回路要素４０１は、２つの中央処理ユニット（ＣＰＵ）を含み得る。データは、コンピュータによる使用に好適な形式での情報であり得る。
【００８８】
図示された実施形態では、入出力インターフェース４０５は、入力デバイス、出力デバイス、または入出力デバイスに通信インターフェースを提供するように設定され得る。ＵＥ４００は、入出力インターフェース４０５を介して出力デバイスを使用するように設定され得る。出力デバイスは、入力デバイスと同じタイプのインターフェースポートを使用し得る。たとえば、ＵＥ４００への入力およびＵＥ４００からの出力を提供するために、ＵＳＢポートが使用され得る。出力デバイスは、スピーカー、サウンドカード、ビデオカード、ディスプレイ、モニタ、プリンタ、アクチュエータ、エミッタ、スマートカード、別の出力デバイス、またはそれらの任意の組合せであり得る。ＵＥ４００は、ユーザがＵＥ４００に情報をキャプチャすることを可能にするために、入出力インターフェース４０５を介して入力デバイスを使用するように設定され得る。入力デバイスは、タッチセンシティブまたはプレゼンスセンシティブディスプレイ、カメラ（たとえば、デジタルカメラ、デジタルビデオカメラ、ウェブカメラなど）、マイクロフォン、センサー、マウス、トラックボール、方向パッド、トラックパッド、スクロールホイール、スマートカードなどを含み得る。プレゼンスセンシティブディスプレイは、ユーザからの入力を検知するための容量性または抵抗性タッチセンサーを含み得る。センサーは、たとえば、加速度計、ジャイロスコープ、チルトセンサー、力センサー、磁力計、光センサー、近接度センサー、別の同様のセンサー、またはそれらの任意の組合せであり得る。たとえば、入力デバイスは、加速度計、磁力計、デジタルカメラ、マイクロフォン、および光センサーであり得る。
【００８９】
図４では、ＲＦインターフェース４０９は、送信機、受信機、およびアンテナなど、ＲＦ構成要素に通信インターフェースを提供するように設定され得る。ネットワーク接続インターフェース４１１は、ネットワーク３００ａに通信インターフェースを提供するように設定され得る。ネットワーク３００ａは、ローカルエリアネットワーク（ＬＡＮ）、ワイドエリアネットワーク（ＷＡＮ）、コンピュータネットワーク、無線ネットワーク、電気通信ネットワーク、別の同様のネットワークまたはそれらの任意の組合せなど、有線および／または無線ネットワークを包含し得る。たとえば、ネットワーク３００ａは、Ｗｉ−Ｆｉネットワークを備え得る。ネットワーク接続インターフェース４１１は、イーサネット、ＴＣＰ／ＩＰ、ＳＯＮＥＴ、ＡＴＭなど、１つまたは複数の通信プロトコルに従って通信ネットワーク上で１つまたは複数の他のデバイスと通信するために使用される、受信機および送信機インターフェースを含むように設定され得る。ネットワーク接続インターフェース４１１は、通信ネットワークリンク（たとえば、光学的、電気的など）に適した受信機および送信機機能性を実装し得る。送信機および受信機機能は、回路構成要素、ソフトウェアまたはファームウェアを共有し得るか、または、代替的に、別個に実装され得る。
【００９０】
ＲＡＭ４１７は、オペレーティングシステム、アプリケーションプログラム、およびデバイスドライバなど、ソフトウェアプログラムの実行中に、データまたはコンピュータ命令の記憶またはキャッシングを提供するために、バス４０２を介して処理回路要素４０１にインターフェースするように設定され得る。ＲＯＭ４１９は、処理回路要素４０１にコンピュータ命令またはデータを提供するように設定され得る。たとえば、ＲＯＭ４１９は、不揮発性メモリに記憶される、基本入出力（Ｉ／Ｏ）、起動、またはキーボードからのキーストロークの受信など、基本システム機能のための、不変低レベルシステムコードまたはデータを記憶するように設定され得る。記憶媒体４２１は、ＲＡＭ、ＲＯＭ、プログラマブル読取り専用メモリ（ＰＲＯＭ）、消去可能プログラマブル読取り専用メモリ（ＥＰＲＯＭ）、電気的消去可能プログラマブル読取り専用メモリ（ＥＥＰＲＯＭ）、磁気ディスク、光ディスク、フロッピーディスク、ハードディスク、取外し可能カートリッジ、またはフラッシュドライブなど、メモリを含むように設定され得る。一例では、記憶媒体４２１は、オペレーティングシステム４２３と、ウェブブラウザアプリケーション、ウィジェットまたはガジェットエンジン、あるいは別のアプリケーションなどのアプリケーションプログラム４２５と、データファイル４２７とを含むように設定され得る。記憶媒体４２１は、ＵＥ４００による使用のために、多様な様々なオペレーティングシステムまたはオペレーティングシステムの組合せのうちのいずれかを記憶し得る。
【００９１】
記憶媒体４２１は、独立ディスクの冗長アレイ（ＲＡＩＤ）、フロッピーディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光ディスクドライブ、内蔵ハードディスクドライブ、Ｂｌｕ−Ｒａｙ光ディスクドライブ、ホログラフィックデジタルデータ記憶（ＨＤＤＳ）光ディスクドライブ、外部ミニデュアルインラインメモリモジュール（ＤＩＭＭ）、シンクロナスダイナミックランダムアクセスメモリ（ＳＤＲＡＭ）、外部マイクロＤＩＭＭ  ＳＤＲＡＭ、加入者識別モジュールまたはリムーバブルユーザ識別情報（ＳＩＭ／ＲＵＩＭ）モジュールなどのスマートカードメモリ、他のメモリ、またはそれらの任意の組合せなど、いくつかの物理ドライブユニットを含むように設定され得る。記憶媒体４２１は、ＵＥ４００が、一時的または非一時的メモリ媒体に記憶されたコンピュータ実行可能命令、アプリケーションプログラムなどにアクセスすること、データをオフロードすること、またはデータをアップロードすることを可能にし得る。通信システムを利用する製造品などの製造品は、記憶媒体４２１中に有形に具現され得、記憶媒体４２１はデバイス可読媒体を備え得る。
【００９２】
図４では、処理回路要素４０１は、通信サブシステム４３１を使用してネットワーク３００ｂと通信するように設定され得る。ネットワーク３００ａとネットワーク３００ｂとは、同じ１つまたは複数のネットワークまたは異なる１つまたは複数のネットワークであり得る。通信サブシステム４３１は、ネットワーク３００ｂと通信するために使用される１つまたは複数のトランシーバを含むように設定され得る。たとえば、通信サブシステム４３１は、ＩＥＥＥ８０２．２、ＣＤＭＡ、ＷＣＤＭＡ、ＧＳＭ、ＬＴＥ、ＵＴＲＡＮ、ＷｉＭＡＸなど、１つまたは複数の通信プロトコルに従って、無線アクセスネットワーク（ＲＡＮ）の別の無線デバイス、ＵＥ、または基地局など、無線通信が可能な別のデバイスの１つまたは複数のリモートトランシーバと通信するために使用される、１つまたは複数のトランシーバ４３１を含むように設定され得る。各トランシーバ４３１は、ＲＡＮリンク（たとえば、周波数割り当てなど）に適した送信機機能性または受信機機能性をそれぞれ実装するための、送信機４３３および／または受信機４３５を含み得る。さらに、各トランシーバの送信機４３３および受信機４３５は、回路構成要素、ソフトウェアまたはファームウェアを共有し得るか、または、代替的に、別個に実装され得る。
【００９３】
示されている実施形態では、通信サブシステム４３１の通信機能は、データ通信、ボイス通信、マルチメディア通信、Ｂｌｕｅｔｏｏｔｈなどの短距離通信、ニアフィールド通信、ロケーションを決定するための全地球測位システム（ＧＰＳ）の使用などのロケーションベース通信、別の同様の通信機能、またはそれらの任意の組合せを含み得る。たとえば、通信サブシステム４３１は、セルラー通信と、Ｗｉ−Ｆｉ通信と、Ｂｌｕｅｔｏｏｔｈ通信と、ＧＰＳ通信とを含み得る。ネットワーク３００ｂは、ローカルエリアネットワーク（ＬＡＮ）、ワイドエリアネットワーク（ＷＡＮ）、コンピュータネットワーク、無線ネットワーク、電気通信ネットワーク、別の同様のネットワークまたはそれらの任意の組合せなど、有線および／または無線ネットワークを包含し得る。たとえば、ネットワーク３００ｂは、セルラーネットワーク、Ｗｉ−Ｆｉネットワーク、および／またはニアフィールドネットワークであり得る。電源４１３は、ＵＥ４００の構成要素に交流（ＡＣ）または直流（ＤＣ）電力を提供するように設定され得る。
【００９４】
本明細書で説明される特徴、利益および／または機能は、ＵＥ４００の構成要素のうちの１つにおいて実装されるか、またはＵＥ４００の複数の構成要素にわたって分割され得る。さらに、本明細書で説明される特徴、利益、および／または機能は、ハードウェア、ソフトウェアまたはファームウェアの任意の組合せで実装され得る。一例では、通信サブシステム４３１は、本明細書で説明される構成要素のうちのいずれかを含むように設定され得る。さらに、処理回路要素４０１は、バス４０２上でそのような構成要素のうちのいずれかと通信するように設定され得る。別の例では、そのような構成要素のうちのいずれかは、処理回路要素４０１によって実行されたとき、本明細書で説明される対応する機能を実施する、メモリに記憶されたプログラム命令によって表され得る。別の例では、そのような構成要素のうちのいずれかの機能性は、処理回路要素４０１と通信サブシステム４３１との間で分割され得る。別の例では、そのような構成要素のうちのいずれかの非計算集約的機能が、ソフトウェアまたはファームウェアで実装され得、計算集約的機能がハードウェアで実装され得る。
【００９５】
図４のＵＥに関して、ＵＥ装置４００が、プロセッサ回路要素４０１と、メモリ４１５と、トランシーバ４３１とを備える、例示的な実施形態が提示される。いくつかの例では、トランシーバ４３１は、少なくとも１つのＳＲＳ送信セッティングを備える、設定されるべき１つまたは複数のＳＲＳリソースセットの規定を受信するように設定される。トランシーバ４３１は、ＳＲＳ送信のために使用すべき、１つまたは複数の設定されたＳＲＳリソースセットから選択されたＳＲＳリソースセットの指示を受信するようにさらに設定され得る。本例では、処理回路要素４０１は、選択されたＳＲＳリソースセットと少なくとも１つのＳＲＳ送信セッティングとに基づいてＳＲＳ送信のためのプリコーディング設定を決定するように設定される。トランシーバ４３１は、決定されたプリコーディング設定に従ってＳＲＳを送信するようにさらに設定される。
【００９６】
図５は、いくつかの実施形態によって実装される機能が仮想化され得る、仮想化環境５００を示す概略ブロック図である。本コンテキストでは、仮想化することは、ハードウェアプラットフォーム、記憶デバイスおよびネットワーキングリソースを仮想化することを含み得る、装置またはデバイスの仮想バージョンを作成することを意味する。本明細書で使用される仮想化は、ノード（たとえば、仮想化された基地局または仮想化された無線アクセスノード）に、あるいはデバイス（たとえば、ＵＥ、無線デバイスまたは任意の他のタイプの通信デバイス）またはそのデバイスの構成要素に適用され得、機能性の少なくとも一部分が、（たとえば、１つまたは複数のネットワークにおいて１つまたは複数の物理処理ノード上で実行する、１つまたは複数のアプリケーション、構成要素、機能、仮想マシンまたはコンテナを介して）１つまたは複数の仮想構成要素として実装される、実装形態に関する。
【００９７】
いくつかの実施形態では、本明細書で説明される機能の一部または全部は、ハードウェアノード５３０のうちの１つまたは複数によってホストされる１つまたは複数の仮想環境５００において実装される１つまたは複数の仮想マシンによって実行される、仮想構成要素として実装され得る。さらに、仮想ノードが、無線アクセスノードではないか、または無線コネクティビティ（たとえば、コアネットワークノード）を必要としない実施形態では、ネットワークノードは完全に仮想化され得る。
【００９８】
（代替的に、ソフトウェアインスタンス、仮想アプライアンス、ネットワーク機能、仮想ノード、仮想ネットワーク機能などと呼ばれることがある）機能は、本明細書で開示される実施形態のうちのいくつかの特徴、機能、および／または利益のうちのいくつかを実装するように動作可能な、１つまたは複数のアプリケーション５２０によって実装され得る。アプリケーション５２０は、処理回路要素５６０とメモリ５９０−１とを備えるハードウェア５３０を提供する、仮想化環境５００において稼働される。メモリ５９０−１は、処理回路要素５６０によって実行可能な命令５９５を含んでおり、それにより、アプリケーション５２０は、本明細書で開示される特徴、利益、および／または機能のうちの１つまたは複数を提供するように動作可能である。
【００９９】
仮想化環境５００は、１つまたは複数のプロセッサのセットまたは処理回路要素５６０を備える、汎用または専用のネットワークハードウェアデバイス５３０を備え、１つまたは複数のプロセッサのセットまたは処理回路要素５６０は、商用オフザシェルフ（ＣＯＴＳ：ｃｏｍｍｅｒｃｉａｌ  ｏｆｆ−ｔｈｅ−ｓｈｅｌｆ）プロセッサ、専用の特定用途向け集積回路（ＡＳＩＣ）、あるいは、デジタルもしくはアナログハードウェア構成要素または専用プロセッサを含む任意の他のタイプの処理回路要素であり得る。各ハードウェアデバイスはメモリ５９０−１を備え得、メモリ５９０−１は、処理回路要素５６０によって実行される命令５９５またはソフトウェアを一時的に記憶するための非永続的メモリであり得る。各ハードウェアデバイスは、ネットワークインターフェースカードとしても知られる、１つまたは複数のネットワークインターフェースコントローラ（ＮＩＣ）５７０を備え得、ネットワークインターフェースコントローラ（ＮＩＣ）５７０は物理ネットワークインターフェース５８０を含む。各ハードウェアデバイスは、処理回路要素５６０によって実行可能なソフトウェア５９５および／または命令を記憶した、非一時的、永続的、機械可読記憶媒体５９０−２をも含み得る。ソフトウェア５９５は、１つまたは複数の（ハイパーバイザとも呼ばれる）仮想化レイヤ５５０をインスタンス化するためのソフトウェア、仮想マシン５４０を実行するためのソフトウェア、ならびに、それが、本明細書で説明されるいくつかの実施形態との関係において説明される機能、特徴および／または利益を実行することを可能にする、ソフトウェアを含む、任意のタイプのソフトウェアを含み得る。
【０１００】
仮想マシン５４０は、仮想処理、仮想メモリ、仮想ネットワーキングまたはインターフェース、および仮想記憶域を備え、対応する仮想化レイヤ５５０またはハイパーバイザによって稼働され得る。仮想アプライアンス５２０の事例の異なる実施形態が、仮想マシン５４０のうちの１つまたは複数上で実装され得、実装は異なるやり方で行われ得る。
【０１０１】
動作中に、処理回路要素５６０は、ソフトウェア５９５を実行してハイパーバイザまたは仮想化レイヤ５５０をインスタンス化し、ハイパーバイザまたは仮想化レイヤ５５０は、時々、仮想マシンモニタ（ＶＭＭ）と呼ばれることがある。仮想化レイヤ５５０は、仮想マシン５４０に、ネットワーキングハードウェアのように見える仮想動作プラットフォームを提示し得る。
【０１０２】
図５に示されているように、ハードウェア５３０は、一般的なまたは特定の構成要素をもつスタンドアロンネットワークノードであり得る。ハードウェア５３０は、アンテナ５２２５を備え得、仮想化を介していくつかの機能を実装し得る。代替的に、ハードウェア５３０は、多くのハードウェアノードが協働し、特に、アプリケーション５２０のライフサイクル管理を監督する、管理およびオーケストレーション（ＭＡＮＯ）５１００を介して管理される、（たとえば、データセンターまたは顧客構内機器（ＣＰＥ）の場合のような）ハードウェアのより大きいクラスタの一部であり得る。
【０１０３】
ハードウェアの仮想化は、いくつかのコンテキストにおいて、ネットワーク機能仮想化（ＮＦＶ）と呼ばれる。ＮＦＶは、多くのネットワーク機器タイプを、データセンターおよび顧客構内機器中に位置し得る、業界標準高ボリュームサーバハードウェア、物理スイッチ、および物理記憶域上にコンソリデートするために使用され得る。
【０１０４】
ＮＦＶのコンテキストでは、仮想マシン５４０は、プログラムを、それらのプログラムが、物理的な仮想化されていないマシン上で実行しているかのように稼働する、物理マシンのソフトウェア実装形態であり得る。仮想マシン５４０の各々と、その仮想マシンに専用のハードウェアであろうと、および／またはその仮想マシンによって仮想マシン５４０のうちの他の仮想マシンと共有されるハードウェアであろうと、その仮想マシンを実行するハードウェア５３０のその一部とは、別個の仮想ネットワークエレメント（ＶＮＥ）を形成する。
【０１０５】
さらにＮＦＶのコンテキストでは、仮想ネットワーク機能（ＶＮＦ）は、ハードウェアネットワーキングインフラストラクチャ５３０の上の１つまたは複数の仮想マシン５４０において稼働する固有のネットワーク機能をハンドリングすることを担当し、図５中のアプリケーション５２０に対応する。
【０１０６】
いくつかの実施形態では、各々、１つまたは複数の送信機５２２０と１つまたは複数の受信機５２１０とを含む、１つまたは複数の無線ユニット５２００は、１つまたは複数のアンテナ５２２５に結合され得る。無線ユニット５２００は、１つまたは複数の適切なネットワークインターフェースを介してハードウェアノード５３０と直接通信し得、無線アクセスノードまたは基地局など、無線能力をもつ仮想ノードを提供するために仮想構成要素と組み合わせて使用され得る。
【０１０７】
いくつかの実施形態では、何らかのシグナリングが、ハードウェアノード５３０と無線ユニット５２００との間の通信のために代替的に使用され得る制御システム５２３０を使用して、実現され得る。
【０１０８】
図６は、いくつかの実施形態による、中間ネットワークを介してホストコンピュータに接続された電気通信ネットワークを示す。図６を参照すると、一実施形態によれば、通信システムが、無線アクセスネットワークなどのアクセスネットワーク６１１とコアネットワーク６１４とを備える、３ＧＰＰタイプセルラーネットワークなどの電気通信ネットワーク６１０を含む。アクセスネットワーク６１１は、ＮＢ、ｅＮＢ、ｇＮＢまたは他のタイプの無線アクセスポイントなど、複数の基地局６１２ａ、６１２ｂ、６１２ｃを備え、各々が、対応するカバレッジエリア６１３ａ、６１３ｂ、６１３ｃを規定する。各基地局６１２ａ、６１２ｂ、６１２ｃは、有線接続または無線接続６１５上でコアネットワーク６１４に接続可能である。カバレッジエリア６１３ｃ中に位置する第１のＵＥ６９１が、対応する基地局６１２ｃに無線で接続するか、または対応する基地局６１２ｃによってページングされるように設定される。カバレッジエリア６１３ａ中の第２のＵＥ６９２が、対応する基地局６１２ａに無線で接続可能である。この例では複数のＵＥ６９１、６９２が示されているが、開示される実施形態は、唯一のＵＥがカバレッジエリア中にある状況、または唯一のＵＥが対応する基地局６１２に接続している状況に等しく適用可能である。
【０１０９】
電気通信ネットワーク６１０は、それ自体、ホストコンピュータ６３０に接続され、ホストコンピュータ６３０は、スタンドアロンサーバ、クラウド実装サーバ、分散型サーバのハードウェアおよび／またはソフトウェアにおいて、あるいはサーバファーム中の処理リソースとして具現され得る。ホストコンピュータ６３０は、サービスプロバイダの所有または制御下にあり得、あるいはサービスプロバイダによってまたはサービスプロバイダに代わって動作され得る。電気通信ネットワーク６１０とホストコンピュータ６３０との間の接続６２１および６２２は、コアネットワーク６１４からホストコンピュータ６３０に直接延び得るか、または随意の中間ネットワーク６２０を介して進み得る。中間ネットワーク６２０は、パブリックネットワーク、プライベートネットワーク、またはホストされたネットワークのうちの１つ、またはそれらのうちの２つ以上の組合せであり得、中間ネットワーク６２０は、もしあれば、バックボーンネットワークまたはインターネットであり得、特に、中間ネットワーク６２０は、２つまたはそれ以上のサブネットワーク（図示せず）を備え得る。
【０１１０】
図６の通信システムは全体として、接続されたＵＥ６９１、６９２とホストコンピュータ６３０との間のコネクティビティを可能にする。コネクティビティは、オーバーザトップ（ＯＴＴ）接続６５０として説明され得る。ホストコンピュータ６３０および接続されたＵＥ６９１、６９２は、アクセスネットワーク６１１、コアネットワーク６１４、任意の中間ネットワーク６２０、および考えられるさらなるインフラストラクチャ（図示せず）を媒介として使用して、ＯＴＴ接続６５０を介して、データおよび／またはシグナリングを通信するように設定される。ＯＴＴ接続６５０は、ＯＴＴ接続６５０が通過する、参加する通信デバイスが、アップリンクおよびダウンリンク通信のルーティングに気づいていないという意味で、透過的であり得る。たとえば、基地局６１２は、接続されたＵＥ６９１にフォワーディング（たとえば、ハンドオーバ）されるべき、ホストコンピュータ６３０から発生したデータを伴う着信ダウンリンク通信の過去のルーティングについて、通知されないことがあるかまたは通知される必要がない。同様に、基地局６１２は、ＵＥ６９１から発生してホストコンピュータ６３０に向かう発信アップリンク通信の将来ルーティングに気づいている必要がない。
【０１１１】
次に、一実施形態による、前の段落において説明されたＵＥ、基地局およびホストコンピュータの例示的な実装形態が、図７を参照しながら説明され、図７は、いくつかの実施形態による、部分的無線接続上で基地局を介してユーザ機器と通信するホストコンピュータを示す。通信システム７００では、ホストコンピュータ７１０が、通信システム７００の異なる通信デバイスのインターフェースとの有線接続または無線接続をセットアップおよび維持するように設定された通信インターフェース７１６を含む、ハードウェア７１５を備える。ホストコンピュータ７１０は、記憶能力および／または処理能力を有し得る、処理回路要素７１８をさらに備える。特に、処理回路要素７１８は、１つまたは複数のプログラマブルプロセッサ、特定用途向け集積回路、フィールドプログラマブルゲートアレイ、または、命令を実行するように適応されたこれらの組合せ（図示せず）を備え得る。ホストコンピュータ７１０は、ホストコンピュータ７１０に記憶されるかまたはホストコンピュータ７１０によってアクセス可能であり、処理回路要素７１８によって実行可能である、ソフトウェア７１１をさらに備える。ソフトウェア７１１は、ホストアプリケーション７１２を含む。ホストアプリケーション７１２は、ＵＥ７３０およびホストコンピュータ７１０において終端するＯＴＴ接続７５０を介して接続するＵＥ７３０など、リモートユーザにサービスを提供するように動作可能であり得る。リモートユーザにサービスを提供する際に、ホストアプリケーション７１２は、ＯＴＴ接続７５０を使用して送信されるユーザデータを提供し得る。
【０１１２】
通信システム７００は、電気通信システム中に提供される基地局７２０をさらに含み、基地局７２０は、基地局７２０がホストコンピュータ７１０およびＵＥ７３０と通信することを可能にするハードウェア７２５を備える。ハードウェア７２５は、通信システム７００の異なる通信デバイスのインターフェースとの有線接続または無線接続をセットアップおよび維持するための通信インターフェース７２６、ならびに基地局７２０によってサーブされるカバレッジエリア（図７に図示せず）中に位置するＵＥ７３０との少なくとも無線接続７７０をセットアップおよび維持するための無線インターフェース７２７を含み得る。通信インターフェース７２６は、ホストコンピュータ７１０への接続７６０を容易にするように設定され得る。接続７６０は直接であり得るか、あるいは、接続７６０は、電気通信システムのコアネットワーク（図７に図示せず）を、および／または電気通信システムの外部の１つまたは複数の中間ネットワークを通過し得る。図示の実施形態では、基地局７２０のハードウェア７２５は、処理回路要素７２８をさらに含み、処理回路要素７２８は、１つまたは複数のプログラマブルプロセッサ、特定用途向け集積回路、フィールドプログラマブルゲートアレイ、または、命令を実行するように適応されたこれらの組合せ（図示せず）を備え得る。基地局７２０は、内部的に記憶されるかまたは外部接続を介してアクセス可能なソフトウェア７２１をさらに有する。
【０１１３】
通信システム７００は、すでに言及されたＵＥ７３０をさらに含む。ＵＥ７３０のハードウェア７３５は、ＵＥ７３０が現在位置するカバレッジエリアをサーブする基地局との無線接続７７０をセットアップおよび維持するように設定された、無線インターフェース７３７を含み得る。ＵＥ７３０のハードウェア７３５は、処理回路要素７３８をさらに含み、処理回路要素７３８は、１つまたは複数のプログラマブルプロセッサ、特定用途向け集積回路、フィールドプログラマブルゲートアレイ、または、命令を実行するように適応されたこれらの組合せ（図示せず）を備え得る。ＵＥ７３０は、ＵＥ７３０に記憶されるかまたはＵＥ７３０によってアクセス可能であり、処理回路要素７３８によって実行可能である、ソフトウェア７３１をさらに備える。ソフトウェア７３１は、クライアントアプリケーション７３２を含む。クライアントアプリケーション７３２は、ホストコンピュータ７１０のサポートのもとに、ＵＥ７３０を介して人間のまたは人間でないユーザにサービスを提供するように動作可能であり得る。ホストコンピュータ７１０では、実行しているホストアプリケーション７１２は、ＵＥ７３０およびホストコンピュータ７１０において終端するＯＴＴ接続７５０を介して、実行しているクライアントアプリケーション７３２と通信し得る。ユーザにサービスを提供する際に、クライアントアプリケーション７３２は、ホストアプリケーション７１２から要求データを受信し、要求データに応答してユーザデータを提供し得る。ＯＴＴ接続７５０は、要求データとユーザデータの両方を転送し得る。クライアントアプリケーション７３２は、クライアントアプリケーション７３２が提供するユーザデータを生成するためにユーザと対話し得る。
【０１１４】
図７に示されているホストコンピュータ７１０、基地局７２０およびＵＥ７３０は、それぞれ、図６のホストコンピュータ６３０、基地局６１２ａ、６１２ｂ、６１２ｃのうちの１つ、およびＵＥ６９１、６９２のうちの１つと同様または同等であり得ることに留意されたい。つまり、これらのエンティティの内部の働きは、図７に示されているようなものであり得、別個に、周囲のネットワークトポロジーは、図６のものであり得る。
【０１１５】
図７では、ＯＴＴ接続７５０は、仲介デバイスとこれらのデバイスを介したメッセージの正確なルーティングとへの明示的言及なしに、基地局７２０を介したホストコンピュータ７１０とＵＥ７３０との間の通信を示すために抽象的に描かれている。ネットワークインフラストラクチャが、ルーティングを決定し得、ネットワークインフラストラクチャは、ＵＥ７３０からまたはホストコンピュータ７１０を動作させるサービスプロバイダから、またはその両方からルーティングを隠すように設定され得る。ＯＴＴ接続７５０がアクティブである間、ネットワークインフラストラクチャは、さらに、ネットワークインフラストラクチャが（たとえば、ネットワークの負荷分散考慮または再設定に基づいて）ルーティングを動的に変更する決定を行い得る。
【０１１６】
ＵＥ７３０と基地局７２０との間の無線接続７７０は、本開示全体にわたって説明される実施形態の教示に従う。様々な実施形態のうちの１つまたは複数は、無線接続７７０が最後のセグメントを形成するＯＴＴ接続７５０を使用して、ＵＥ７３０に提供されるＯＴＴサービスの性能を改善する。より正確には、これらの実施形態の教示は、データレート、レイテンシ、ブロック誤り率（ＢＬＥＲ）、オーバーヘッド、および電力消費量のうちの１つまたは複数を改善し、それにより、低減されたユーザ待ち時間、より良い応答性、延長されたバッテリー寿命などの利益を提供し得る。
【０１１７】
１つまたは複数の実施形態が改善する、データレート、レイテンシおよび他のファクタを監視する目的での、測定プロシージャが提供され得る。測定結果の変動に応答して、ホストコンピュータ７１０とＵＥ７３０との間のＯＴＴ接続７５０を再設定するための随意のネットワーク機能性がさらにあり得る。測定プロシージャおよび／またはＯＴＴ接続７５０を再設定するためのネットワーク機能性は、ホストコンピュータ７１０のソフトウェア７１１およびハードウェア７１５でまたはＵＥ７３０のソフトウェア７３１およびハードウェア７３５で、またはその両方で実装され得る。実施形態では、ＯＴＴ接続７５０が通過する通信デバイスにおいてまたはそれに関連して、センサー（図示せず）が展開され得、センサーは、上記で例示された監視された量の値を供給すること、またはソフトウェア７１１、７３１が監視された量を算出または推定し得る他の物理量の値を供給することによって、測定プロシージャに参加し得る。ＯＴＴ接続７５０の再設定は、メッセージフォーマット、再送信セッティング、好ましいルーティングなどを含み得、再設定は、基地局７２０に影響を及ぼす必要がなく、再設定は、基地局７２０に知られていないかまたは知覚不可能であり得る。そのようなプロシージャおよび機能性は、当技術分野において知られ、実施され得る。いくつかの実施形態では、測定は、スループット、伝搬時間、レイテンシなどのホストコンピュータ７１０の測定を容易にするプロプライエタリＵＥシグナリングを伴い得る。測定は、ソフトウェア７１１および７３１が、ソフトウェア７１１および７３１が伝搬時間、エラーなどを監視する間にＯＴＴ接続７５０を使用して、メッセージ、特に空のまたは「ダミー」メッセージが送信されることを引き起こすことにおいて、実装され得る。
【０１１８】
図８は、一実施形態による、通信システムにおいて実装される方法を示すフローチャートである。通信システムは、図６および図７を参照しながら説明されたものであり得る、ホストコンピュータと基地局とＵＥとを含む。本開示の簡単のために、図８への図面参照のみがこのセクションに含まれる。ステップ８１０において、ホストコンピュータはユーザデータを提供する。ステップ８１０の（随意であり得る）サブステップ８１１において、ホストコンピュータは、ホストアプリケーションを実行することによって、ユーザデータを提供する。ステップ８２０において、ホストコンピュータは、ＵＥにユーザデータを搬送する送信を始動する。（随意であり得る）ステップ８３０において、基地局は、本開示全体にわたって説明される実施形態の教示に従って、ホストコンピュータが始動した送信において搬送されたユーザデータをＵＥに送信する。（また、随意であり得る）ステップ８４０において、ＵＥは、ホストコンピュータによって実行されるホストアプリケーションに関連付けられたクライアントアプリケーションを実行する。
【０１１９】
図９は、一実施形態による、通信システムにおいて実装される方法を示すフローチャートである。通信システムは、図６および図７を参照しながら説明されたものであり得る、ホストコンピュータと基地局とＵＥとを含む。本開示の簡単のために、図９への図面参照のみがこのセクションに含まれる。本方法のステップ９１０において、ホストコンピュータはユーザデータを提供する。随意のサブステップ（図示せず）において、ホストコンピュータは、ホストアプリケーションを実行することによって、ユーザデータを提供する。ステップ９２０において、ホストコンピュータは、ＵＥにユーザデータを搬送する送信を始動する。送信は、本開示全体にわたって説明される実施形態の教示に従って、基地局を介して進み得る。（随意であり得る）ステップ９３０において、ＵＥは、送信において搬送されたユーザデータを受信する。
【０１２０】
図１０は、一実施形態による、通信システムにおいて実装される方法を示すフローチャートである。通信システムは、図６および図７を参照しながら説明されたものであり得る、ホストコンピュータと基地局とＵＥとを含む。本開示の簡単のために、図１０への図面参照のみがこのセクションに含まれる。（随意であり得る）ステップ１０１０において、ＵＥは、ホストコンピュータによって提供された入力データを受信する。追加または代替として、ステップ１０２０において、ＵＥはユーザデータを提供する。ステップ１０２０の（随意であり得る）サブステップ１０２１において、ＵＥは、クライアントアプリケーションを実行することによって、ユーザデータを提供する。ステップ１０１０の（随意であり得る）サブステップ１０１１において、ＵＥは、ホストコンピュータによって提供された受信された入力データに反応してユーザデータを提供する、クライアントアプリケーションを実行する。ユーザデータを提供する際に、実行されたクライアントアプリケーションは、ユーザから受信されたユーザ入力をさらに考慮し得る。ユーザデータが提供された特定の様式にかかわらず、ＵＥは、（随意であり得る）サブステップ１０３０において、ホストコンピュータへのユーザデータの送信を始動する。本方法のステップ１０４０において、ホストコンピュータは、本開示全体にわたって説明される実施形態の教示に従って、ＵＥから送信されたユーザデータを受信する。
【０１２１】
図１１は、一実施形態による、通信システムにおいて実装される方法を示すフローチャートである。通信システムは、図６および図７を参照しながら説明されたものであり得る、ホストコンピュータと基地局とＵＥとを含む。本開示の簡単のために、図１１への図面参照のみがこのセクションに含まれる。（随意であり得る）ステップ１１１０において、本開示全体にわたって説明される実施形態の教示に従って、基地局は、ＵＥからユーザデータを受信する。（随意であり得る）ステップ１１２０において、基地局は、ホストコンピュータへの、受信されたユーザデータの送信を始動する。（随意であり得る）ステップ１１３０において、ホストコンピュータは、基地局によって始動された送信において搬送されたユーザデータを受信する。
【０１２２】
本明細書で開示される任意の適切なステップ、方法、特徴、機能、または利益は、１つまたは複数の仮想装置の１つまたは複数の機能ユニットまたはモジュールを通して実施され得る。各仮想装置は、いくつかのこれらの機能ユニットを備え得る。これらの機能ユニットは、１つまたは複数のマイクロプロセッサまたはマイクロコントローラを含み得る、処理回路要素、ならびに、デジタル信号プロセッサ（ＤＳＰ）、専用デジタル論理などを含み得る、他のデジタルハードウェアを介して実装され得る。処理回路要素は、読取り専用メモリ（ＲＯＭ）、ランダムアクセスメモリ（ＲＡＭ）、キャッシュメモリ、フラッシュメモリデバイス、光記憶デバイスなど、１つまたは数個のタイプのメモリを含み得る、メモリに記憶されたプログラムコードを実行するように設定され得る。メモリに記憶されたプログラムコードは、１つまたは複数の電気通信および／またはデータ通信プロトコルを実行するためのプログラム命令、ならびに本明細書で説明される技法のうちの１つまたは複数を行うための命令を含む。いくつかの実装形態では、処理回路要素は、それぞれの機能ユニットに、本開示の１つまたは複数の実施形態による、対応する機能を実施させるために使用され得る。
【０１２３】
図１２は、特定の実施形態による、方法１２００を示すフローチャートである。本方法はステップｓ１２０２において開始し得、無線デバイスがサウンディング参照信号（ＳＲＳ）送信セッティングを取得する。ステップｓ１２０４において、無線デバイスは、取得されたＳＲＳ送信セッティングに従ってＳＲＳ送信プロセスを実施し、ＳＲＳ送信プロセスを実施することは、無線デバイスが第１の候補プリコーダ行列を取得するためにＤＬ  ＲＳリソースインジケータを使用すること（ステップｓ１２０６）と、無線デバイスが第１のプリコーディングされたＳＲＳを作り出すために第１の候補プリコーダ行列を使用してＳＲＳをプリコーディングすること（ステップｓ１２０８）と、無線デバイスが第１のプリコーディングされたＳＲＳを送信すること（ステップｓ１２１０）とを含む。
【０１２４】
図１３は、特定の実施形態による、方法１３００を示すフローチャートである。本方法はステップｓ１３０２において開始し得、無線デバイスがＳＲＳ送信セッティングを取得する。ステップｓ１３０４において、無線デバイスは、ＳＲＳ送信セッティングがＤＬ  ＲＳリソースインジケータを含むかどうかを決定する。ＳＲＳ送信セッティングがＤＬ  ＲＳリソースインジケータを含むと無線デバイスが決定したことの結果として実施されるステップｓ１３０６において、無線デバイスは、ＳＲＳ送信プロセス（たとえば、ステップｓ１２０６、ｓ１２０８、およびｓ１２１０）を実施する。ＳＲＳ送信セッティングがＤＬ  ＲＳリソースインジケータを含まないと無線デバイスが決定したことの結果として実施されるステップｓ１３０８において、無線デバイスは、ＳＲＳ送信セッティングに従って、プリコーディングされていないＳＲＳを送信する。
【０１２５】
図１４は、特定の実施形態による、方法１４００を示すフローチャートである。本方法はステップｓ１４０２において開始し得、無線デバイスが、物理ダウンリンク制御チャネル上で搬送されたダウンリンク制御情報（ＤＣＩ）を受信し、ＤＣＩは、ＳＲＳ送信セッティングを指す情報を備える。ステップｓ１４０４において、無線デバイスは、ＤＣＩがＤＬ  ＲＳリソースインジケータを含むかどうかを決定する。ＤＣＩがＤＬ  ＲＳリソースインジケータを含むと無線デバイスが決定したことの結果として実施されるステップｓ１４０６において、無線デバイスは、ＳＲＳ送信プロセス（たとえば、ステップｓ１２０６、ｓ１２０８、およびｓ１２１０）を実施する。ＤＣＩがＤＬ  ＲＳリソースインジケータを含まないと無線デバイスが決定したことの結果として実施されるステップｓ１４０８において、ＵＥは、ＳＲＳ送信セッティングに従って、プリコーディングされていないＳＲＳを送信する。
【０１２６】
いくつかの実施形態では、ＳＲＳ送信セッティングはＳＲＳリソースセット情報エレメント（ＩＥ）を備え、ＳＲＳリソースセットＩＥは、１つまたは複数のＳＲＳリソースＩＥのセットを識別する情報（たとえば、ＳＲＳリソースＩＤのリスト）を備え、ＳＲＳリソースセットＩＥはＤＬ  ＲＳリソースインジケータをさらに備える。
【０１２７】
いくつかの実施形態では、ＳＲＳ送信セッティングはＳＲＳリソースＩＥを備え、ＳＲＳリソースＩＥはＤＬ  ＲＳリソースインジケータを備える。そのような実施形態では、ＳＲＳ送信セッティングはＳＲＳリソースセット情報エレメント（ＩＥ）をさらに備え得、ＳＲＳリソースセットＩＥは、１つまたは複数のＳＲＳリソースＩＥのセットを識別する情報を備える。
【０１２８】
いくつかの実施形態では、ＳＲＳ送信プロセスは、無線デバイスが第２の候補プリコーダ行列を取得するためにＤＬ  ＲＳリソースインジケータを使用することと、ＵＥが第２のプリコーディングされたＳＲＳを作り出すために第２の候補プリコーダ行列を使用してＳＲＳをプリコーディングすることと、ＵＥが第２のプリコーディングされたＳＲＳを送信することとをさらに含む。
【０１２９】
いくつかの実施形態では、方法１２００および／または１３００は、無線デバイスが、物理ダウンリンク制御チャネル上で搬送されたダウンリンク制御情報（ＤＣＩ）を受信することをさらに含み、ＤＣＩは、ＳＲＳ送信セッティングを指す情報を備える。無線デバイスは、次いで、ＤＣＩを受信したことに応答してＳＲＳ送信セッティングを取得し、無線デバイスは、無線デバイスの内部の記憶ユニットからＳＲＳ送信セッティングを取り出すことによってＳＲＳ送信セッティングを取得し得る。いくつかの実施形態では、ＤＣＩは、ＤＬ  ＲＳリソースインジケータを含む。
【０１３０】
いくつかの実施形態では、ＤＬ  ＲＳリソースインジケータは、ＲＳリソース識別子（ＩＤ）（たとえば、ＣＳＩ−ＲＳリソースＩＤ）、および１つまたは複数のＲＳリソースＩＤを備えるインジケータ（たとえば、ＴＣＩ）のうちの１つである。
【０１３１】
いくつかの実施形態では、無線デバイスは、１つまたは複数の候補プリコーダ行列のセットを記憶し、候補プリコーダ行列のセットはＤＬ  ＲＳリソースインジケータに関連付けられ、無線デバイスは、候補プリコーダ行列のセットを識別するためにＤＬ  ＲＳリソースインジケータを使用し、候補プリコーダ行列のセットから第１の候補プリコーダ行列を選択する。
【０１３２】
いくつかの実施形態では、ＤＬ  ＲＳリソースインジケータは前に送信されたＤＬ  ＲＳを指し、ＵＥは、ＤＬ  ＲＳに関する測定を実施し、この測定に基づいて第１の候補プリコーダ行列を決定することによって、第１の候補プリコーダ行列を取得するためにＤＬ  ＲＳリソースインジケータを使用する。
【０１３３】
いくつかの実施形態では、ＤＬ  ＲＳリソースインジケータはＵＥに送信されるＤＬ  ＲＳを指し、ＵＥは、ＤＬ  ＲＳを受信し、受信されたＤＬ  ＲＳに関する測定を実施し、この測定に基づいて第１の候補プリコーダ行列を決定することによって、第１の候補プリコーダ行列を取得するためにＤＬ  ＲＳリソースインジケータを使用する。
【０１３４】
図１５は、特定の実施形態による、方法１５００を示すフローチャートである。本方法はステップｓ１５０２において開始し得、ネットワークノード（たとえばＴＲＰ）がＳＲＳ送信セッティングを取得し、ＳＲＳ送信セッティングはＤＬ  ＲＳリソースインジケータを含む。また、ステップｓ１５０４において、ネットワークノードは、ＳＲＳ送信セッティングをＵＥに送信するために制御プロトコル（たとえば、ＲＲＣ）を使用する。
【０１３５】
図１６は、特定の実施形態による、方法１６００を示すフローチャートである。本方法はステップｓ１６０２において開始し得、ＴＲＰが、ＵＥがＳＲＳ送信プロセスを実施するべきであると決定する。また、ステップｓ１６０４において、ＵＥがＳＲＳ送信プロセスを実施するべきであると決定したことの結果として、ＴＲＰは、ＳＲＳ送信プロセスを実施するようにＵＥをトリガし、ＳＲＳ送信プロセスを実施するようにＵＥをトリガすることは、制御情報（たとえば、ダウンリンク制御情報（ＤＣＩ））をＵＥに送信することを含み、制御情報は、ｉ）ＵＥがＳＲＳ送信セッティングを取り出すことを可能にするための情報と、ｉｉ）ＤＬ  ＲＳリソースインジケータとを備える。
【０１３６】
いくつかの実施形態では、方法１６００は、制御情報を送信した後に、プリコーディングされたＳＲＳとプリコーディングされていないＳＲＳとをＵＥから受信することと、プリコーディングされたＳＲＳとプリコーディングされていないＳＲＳとを受信した後に、受信されたプリコーディングされたＳＲＳと受信されたプリコーディングされていないＳＲＳとに基づいて、ＵＥがコードブックベースＵＬ送信を実施するべきであるのか非コードブックベースＵＬ送信を実施するべきであるのかを決定することと、ＵＥがコードブックベースＵＬ送信を実施するべきであるのか非コードブックベースＵＬ送信を実施するべきであるのかを決定した後に、決定の成果を示す情報を備えるＵＬグラントをＵＥに送信することとをさらに含む。
【０１３７】
図１７は、特定の実施形態による、方法１７００を示すフローチャートである。本方法はステップｓ１７０２において開始し得、サウンディング参照信号（ＳＲＳ）送信を実施するための無線デバイスが、少なくとも１つのＳＲＳ送信セッティングを備える、設定されるべき１つまたは複数のＳＲＳリソースセットの規定を受信する。上記で説明されたように、１つまたは複数のＳＲＳリソースセットの規定は、ＳＲＳリソースセット識別子によって識別されるセット中にそのような備えられるＳＲＳリソースＩＥの無線リソース設定によって達成され得る。本方法はステップｓ１７０４を進め、無線デバイスが、１つまたは複数の設定されたＳＲＳリソースセットから選択された、ＳＲＳ送信のために使用すべきＳＲＳリソースセットの指示を受信する。本方法は、次いで、ステップｓ１７０６を進め、無線デバイスが、選択されたＳＲＳリソースセットと少なくとも１つのＳＲＳ送信セッティングとに基づいてＳＲＳ送信のためのプリコーディング設定を決定する。上記で説明され、以下でさらに明瞭にされるように、無線デバイスは、無線デバイスがＳＲＳ送信のためのプリコーダを選択するか否か、たとえば、コードブックプリコーディングが決定されるのか非コードブックプリコーディングが決定されるのかを決定し得る。本方法は、次いで、無線デバイスが、ステップｓ１７０８において、決定されたプリコーディング設定に従ってＳＲＳを送信することで、完了する。
【０１３８】
いくつかの例では、ＳＲＳ送信のためのプリコーディング設定を決定することは、コードブックベースプリコーディングが適用されるべきであるのか非コードブックベースプリコーディングが適用されるべきであるのかを決定することを含む。
【０１３９】
いくつかの態様では、ＳＲＳ送信のためのプリコーディング設定を決定することは、プリコーディングインジケータに基づく。この態様のいくつかの例では、プリコーディングインジケータは、少なくとも１つのＳＲＳ送信セッティング中に備えられる。いくつかの例では、プリコーディングインジケータは、関連するダウンリンク参照信号（ＤＬ  ＲＳ）を識別するＤＬ  ＲＳ識別子である。
【０１４０】
いくつかの態様では、ＳＲＳ送信のためのプリコーディング設定を決定することは、ＳＲＳ送信のための相反性ベースプリコーディングを適用すべきかどうかを決定することを含む。上記で説明されたように、相反性ベースプリコーディングは、ＳＲＳ送信のためのプリコーダが、測定されたＤＬ信号に基づいて選択され、相反性がＤＬビームとＵＬ  ＳＲＳ送信との間で仮定されることを意味する。いくつかの例では、選択されたＳＲＳリソースはＤＬ  ＲＳに対する関連付けを備え、本方法は、関連するＤＬ  ＲＳに基づいてＳＲＳ送信のための相反性ベースプリコーダを決定することをさらに含む。
【０１４１】
いくつかの例では、ＳＲＳ送信は非周期送信であり、選択されたＳＲＳリソースセットの指示はＤＬ制御情報（ＤＣＩ）インジケータを備える。他の例では、ＳＲＳ送信は、周期的であるかまたは半永続的である。
【０１４２】
図１８は、特定の実施形態による、方法１８００を示すフローチャートである。本方法はステップｓ１８０２において開始し得、ネットワークノードが、無線デバイスに、少なくとも１つのＳＲＳ送信セッティングを備える、設定されるべき１つまたは複数のＳＲＳリソースセットの規定を送る。上記で説明されたように、１つまたは複数のＳＲＳリソースセットの規定は、ＳＲＳリソースセット識別子によって識別されるセット中にそのような備えられるＳＲＳリソースＩＥの無線リソース設定によって達成され得る。本方法はステップｓ１８０４を進め、ネットワークノードが、ＳＲＳ送信のために使用すべき、１つまたは複数の設定されたＳＲＳリソースセットから選択されたＳＲＳリソースセットの指示を送り、少なくとも１つのＳＲＳ送信セッティングはＳＲＳ送信のためのプリコーディング設定に対応する。本方法は続き、ネットワークノードが、対応するプリコーディング設定に従ってＳＲＳ送信を受信する。ＳＲＳ送信のための対応するプリコーディング設定は、コードブックベースプリコーディングまたは非コードブックベースプリコーディングのうちの１つを備え得る。選択されたリソースセットはプリコーディングインジケータを備え得る。いくつかの例では、プリコーディングインジケータは、少なくとも１つのＳＲＳ送信セッティング中に備えられ得る。いくつかの例では、プリコーディングインジケータは、関連するダウンリンク参照信号（ＤＬ  ＲＳ）を識別するＤＬ  ＲＳ識別子である。ＳＲＳ送信のための対応するプリコーディング設定は、ＳＲＳ送信のための相反性ベースプリコーディングを備え得る。選択されたＳＲＳリソースはＤＬ  ＲＳに対する関連付けを備え得、対応するプリコーディング設定は、関連するＤＬ  ＲＳに基づく相反性ベースプリコーディングを備える。ＳＲＳ送信は非周期送信であり得、選択されたＳＲＳリソースセットの指示はＤＬ制御情報（ＤＣＩ）インジケータを備える。代替的に、ＳＲＳ送信は、周期的であるかまたは半永続的であり得る。
【０１４３】
以下は、いくつかの列挙された例である。
Ａ１．
１）ＵＥがサウンディング参照信号（ＳＲＳ）送信セッティングを取得することと、
２）ＵＥが、取得されたＳＲＳ送信セッティングに従ってＳＲＳ送信プロセスを実施することと
を含む方法であって、ＳＲＳ送信プロセスを実施することは、
２ａ）ＵＥが、第１の候補プリコーダ行列を取得するためにＤＬ  ＲＳリソースインジケータを使用することと、
２ｂ）ＵＥが、第１のプリコーディングされたＳＲＳを作り出すために第１の候補プリコーダ行列を使用してＳＲＳをプリコーディングすることと、
２ｃ）ＵＥが第１のプリコーディングされたＳＲＳを送信することと
を含む、方法。
Ａ２．
１）ＵＥがＳＲＳ送信セッティングを取得することと、
２）ＵＥが、ＳＲＳ送信セッティングがＤＬ  ＲＳリソースインジケータを含むかどうかを決定することと、
３）ＳＲＳ送信セッティングがＤＬ  ＲＳリソースインジケータを含むと決定したことの結果として、ＵＥがＳＲＳ送信プロセスを実施することと
を含む方法であって、ＳＲＳ送信プロセスは、
３ａ）ＵＥが、第１の候補プリコーダ行列を取得するためにＤＬ  ＲＳリソースインジケータを使用することと、
３ｂ）ＵＥが、第１のプリコーディングされたＳＲＳを作り出すために第１の候補プリコーダ行列を使用してＳＲＳをプリコーディングすることと、
３ｃ）ＵＥが第１のプリコーディングされたＳＲＳを送信することと
を含む、方法。
Ａ３．
１）ＵＥが、物理ダウンリンク制御チャネル上で搬送されたダウンリンク制御情報（ＤＣＩ）を受信することであって、ＤＣＩが、ＳＲＳ送信セッティングを指す情報を備える、ダウンリンク制御情報（ＤＣＩ）を受信することと、
２）ＵＥが、ＤＣＩがＤＬ  ＲＳリソースインジケータを含むかどうかを決定することと、
３）ＤＣＩがＤＬ  ＲＳリソースインジケータを含むと決定したことの結果として、ＵＥがＳＲＳ送信プロセスを実施することと
を含む方法であって、ＳＲＳ送信プロセスは、
３ａ）ＵＥが、第１の候補プリコーダ行列を取得するためにＤＬ  ＲＳリソースインジケータを使用することと、
３ｂ）ＵＥが、第１のプリコーディングされたＳＲＳを作り出すためにＳＲＳ送信セッティング中で識別されたＳＲＳをプリコーディングするために第１の候補プリコーダ行列を使用することと、
３ｃ）ＵＥが第１のプリコーディングされたＳＲＳを送信することと
を含む、方法。
Ａ４．
ＳＲＳ送信セッティングがＳＲＳリソースセット情報エレメント（ＩＥ）を備え、
ＳＲＳリソースセットＩＥが、１つまたは複数のＳＲＳリソースＩＥのセットを識別する情報（たとえば、ＳＲＳリソースＩＤのリスト）を備え、
ＳＲＳリソースセットＩＥがＤＬ  ＲＳリソースインジケータをさらに備える、
実施形態Ａ１からＡ３のいずれか１つに記載の方法。
Ａ５．
ＳＲＳ送信セッティングがＳＲＳリソースＩＥを備え、
ＳＲＳリソースＩＥがＤＬ  ＲＳリソースインジケータを備える、
実施形態Ａ１からＡ３のいずれか１つに記載の方法。
Ａ６．
ＳＲＳ送信セッティングがＳＲＳリソースセット情報エレメント（ＩＥ）をさらに備え、ＳＲＳリソースセットＩＥが、１つまたは複数のＳＲＳリソースＩＥのセットを識別する情報を備える、実施形態Ａ５に記載の方法。
Ａ７．
ＳＲＳ送信プロセスは、
３ｄ）ＵＥが、第２の候補プリコーダ行列を取得するためにＤＬ  ＲＳリソースインジケータを使用することと、
３ｅ）ＵＥが、第２のプリコーディングされたＳＲＳを作り出すために第２の候補プリコーダ行列を使用してＳＲＳをプリコーディングすることと、
３ｆ）ＵＥが第２のプリコーディングされたＳＲＳを送信することと
をさらに含む、実施形態Ａ１からＡ６のいずれか１つに記載の方法。
Ａ８．
ＵＥが、物理ダウンリンク制御チャネル上で搬送されたダウンリンク制御情報（ＤＣＩ）を受信することであって、ＤＣＩが、ＳＲＳ送信セッティングを指す情報を備える、ダウンリンク制御情報（ＤＣＩ）を受信すること
をさらに含み、
ＵＥが、ＤＣＩを受信したことに応答してＳＲＳ送信セッティングを取得し、ＵＥが、ＵＥの内部の記憶ユニットからＳＲＳ送信セッティングを取り出すことによってＳＲＳ送信セッティングを取得する、
実施形態Ａ１からＡ７のいずれか１つに記載の方法。
Ａ９．
ＤＣＩがＤＬ  ＲＳリソースインジケータを含む、実施形態Ａ１からＡ８のいずれか１つに記載の方法。
Ａ１０．
ＤＬ  ＲＳリソースインジケータが、
ＲＳリソース識別子（ＩＤ）（たとえば、ＣＳＩ−ＲＳリソースＩＤ）、および
１つまたは複数のＲＳリソースＩＤを備えるインジケータ（たとえば、ＴＣＩ）
のうちの１つである、実施形態Ａ１からＡ９のいずれか１つに記載の方法。
Ａ１１．
ＵＥが１つまたは複数の候補プリコーダ行列のセットを記憶し、候補プリコーダ行列のセットがＤＬ  ＲＳリソースインジケータに関連付けられ、
第１の候補プリコーダ行列を取得するためにＤＬ  ＲＳリソースインジケータを使用することが、候補プリコーダ行列のセットを識別するためにＤＬ  ＲＳリソースインジケータを使用し、候補プリコーダ行列のセットから第１の候補プリコーダ行列を選択することを含む、
実施形態Ａ１からＡ１０のいずれか１つに記載の方法。
Ａ１２．
ＤＬ  ＲＳリソースインジケータが、前に送信されたＤＬ  ＲＳを指し、
第１の候補プリコーダ行列を取得するためにＤＬ  ＲＳリソースインジケータを使用することは、ＵＥがＤＬ  ＲＳに関する測定を実施することと、ＵＥがこの測定に基づいて第１の候補プリコーダ行列を決定することとを含む、
実施形態Ａ１からＡ１０のいずれか１つに記載の方法。
Ａ１３．
ＤＬ  ＲＳリソースインジケータが、ＵＥに送信されるＤＬ  ＲＳを指し、
第１の候補プリコーダ行列を取得するためにＤＬ  ＲＳリソースインジケータを使用することは、ＵＥがＤＬ  ＲＳを受信することと、ＵＥが受信されたＤＬ  ＲＳに関する測定を実施することと、ＵＥがこの測定に基づいて第１の候補プリコーダ行列を決定することとを含む、
実施形態Ａ１からＡ１０のいずれか１つに記載の方法。
Ａ１４．
ユーザデータを提供することと、
基地局への送信を介してユーザデータをホストコンピュータにフォワーディングすることと
をさらに含む、実施形態Ａ１からＡ１３のいずれか１つに記載の方法。
Ａ１５．
１）ＵＥが物理ダウンリンク制御チャネル上で搬送されたダウンリンク制御情報（ＤＣＩ）を受信することであって、ＤＣＩが、ＳＲＳ送信セッティングを指す情報を備える、ダウンリンク制御情報（ＤＣＩ）を受信することと、
２）ＤＣＩを受信したことの結果として、ＵＥがＳＲＳ送信セッティングに従ってＳＲＳ送信プロセスを実施することと
を含む方法であって、ＳＲＳ送信プロセスは、
２ａ）ＵＥが、ＤＣＩがＤＬ  ＲＳリソースインジケータを含むかどうかを決定することと、
２ｂ）ＤＣＩがＤＬ  ＲＳリソースインジケータを含まないと決定したことの結果として、ＵＥが、ＳＲＳ送信セッティングに従って、プリコーディングされていないＳＲＳを送信することと
を含む、方法。
Ａ１６．
１）ＵＥが物理ダウンリンク制御チャネル上で搬送されたダウンリンク制御情報（ＤＣＩ）を受信することであって、ＤＣＩが、ＳＲＳ送信セッティングを指す情報を備える、ダウンリンク制御情報（ＤＣＩ）を受信することと、
２）ＤＣＩを受信したことの結果として、ＵＥがＳＲＳ送信セッティングに従ってＳＲＳ送信プロセスを実施することと
を含む方法であって、ＳＲＳ送信プロセスは、
２ａ）ＵＥが、ＳＲＳ送信セッティングがＤＬ  ＲＳリソースインジケータを含むかどうかを決定することと、
２ｂ）ＳＲＳ送信セッティングがＤＬ  ＲＳリソースインジケータを含まないと決定したことの結果として、ＵＥが、ＳＲＳ送信セッティングに従って、プリコーディングされていないＳＲＳを送信することと
を含む、方法。
Ｂ１．
ＴＲＰ（たとえば、基地局）がＳＲＳ送信セッティングを取得することであって、ＳＲＳ送信セッティングがＤＬ  ＲＳリソースインジケータを含む、ＳＲＳ送信セッティングを取得することと、
ＴＲＰが、ＳＲＳ送信セッティングをＵＥに送信するために制御プロトコル（たとえば、ＲＲＣ）を使用することと
を含む、方法。
Ｂ２．
ＵＥがＳＲＳ送信セッティングを取り出すことを可能にするための情報を備えるダウンリンク制御情報（ＤＣＩ）をＵＥに送信すること
をさらに含む、実施形態Ｂ１に記載の方法。
Ｂ３．
ＵＥがＳＲＳ送信プロセスを実施するべきであると決定することと、
ＵＥがＳＲＳ送信プロセスを実施するべきであると決定したことの結果として、ＳＲＳ送信プロセスを実施するようにＵＥをトリガすることであって、ＳＲＳ送信プロセスを実施するようにＵＥをトリガすることが、制御情報（たとえば、ダウンリンク制御情報（ＤＣＩ））をＵＥに送信することを含み、制御情報が、ｉ）ＵＥがＳＲＳ送信セッティングを取り出すことを可能にするための情報と、ｉｉ）ＤＬ  ＲＳリソースインジケータとを備える、ＳＲＳ送信プロセスを実施するようにＵＥをトリガすることと
を含む、方法。
Ｂ４．
制御情報を送信した後に、プリコーディングされたＳＲＳとプリコーディングされていないＳＲＳとをＵＥから受信することと、
プリコーディングされたＳＲＳとプリコーディングされていないＳＲＳとを受信した後に、受信されたプリコーディングされたＳＲＳと受信されたプリコーディングされていないＳＲＳとに基づいて、ＵＥがコードブックベースＵＬ送信を実施するべきであるのか非コードブックベースＵＬ送信を実施するべきであるのかを決定することと、
ＵＥがコードブックベースＵＬ送信を実施するべきであるのか非コードブックベースＵＬ送信を実施するべきであるのかを決定した後に、決定の成果を示す情報を備えるＵＬグラントをＵＥに送信することと
をさらに含む、実施形態Ｂ２またはＢ３に記載の方法。
Ｂ５．
ＵＥによって送信されたユーザデータを取得することと、
ユーザデータを通信デバイス（たとえば、ホストコンピュータまたは別のＵＥ）にフォワーディングすることと
をさらに含む、実施形態Ｂ１からＢ４のいずれか１つに記載の方法。
Ｃ１．
無線デバイスであって、
グループＡ実施形態のいずれか１つに記載のステップのいずれかを実施するように設定された処理回路要素と、
無線デバイスに電力を供給するように設定された電力供給回路要素と
を備える、無線デバイス。
Ｃ２．
基地局であって、
グループＢ実施形態のいずれか１つに記載のステップのいずれかを実施するように設定された処理回路要素と、
基地局に電力を供給するように設定された電力供給回路要素と
を備える、基地局。
Ｃ３．
ユーザ機器（ＵＥ）であって、
無線信号を送り、受信するように設定されたアンテナと、
アンテナおよび処理回路要素に接続され、アンテナと処理回路要素との間で通信される信号を調節するように設定された無線フロントエンド回路要素であって、
処理回路要素が、グループＡ実施形態のいずれか１つに記載のステップのいずれかを実施するように設定された、無線フロントエンド回路要素と、
処理回路要素に接続され、ＵＥへの情報の入力が処理回路要素によって処理されることを可能にするように設定された入力インターフェースと、
処理回路要素に接続され、処理回路要素によって処理されたＵＥからの情報を出力するように設定された、出力インターフェースと、
処理回路要素に接続され、ＵＥに電力を供給するように設定された、バッテリーと
を備える、ユーザ機器（ＵＥ）。
Ｃ４．
ホストコンピュータを含む通信システムであって、ホストコンピュータは、
ユーザデータを提供するように設定された処理回路要素と、
ユーザ機器（ＵＥ）への送信のためにユーザデータをセルラーネットワークにフォワーディングするように設定された通信インターフェースと
を備え、
セルラーネットワークが、無線インターフェースと処理回路要素とを有する基地局を備え、基地局の処理回路要素が、グループＢ実施形態のいずれか１つに記載のステップのいずれかを実施するように設定された、
通信システム。
Ｃ５．
基地局をさらに含む、実施形態Ｃ４に記載の通信システム。
Ｃ６．
ＵＥをさらに含み、ＵＥが基地局と通信するように設定された、実施形態Ｃ４またはＣ５に記載の通信システム。
Ｃ７．
ホストコンピュータの処理回路要素が、ホストアプリケーションを実行し、それによりユーザデータを提供するように設定され、
ＵＥが、ホストアプリケーションに関連付けられたクライアントアプリケーションを実行するように設定された処理回路要素を備える、
実施形態Ｃ４からＣ６のいずれか１つに記載の通信システム。
Ｃ８．
ホストコンピュータと、基地局と、ユーザ機器（ＵＥ）とを含む通信システムにおいて実装される方法であって、方法は、
ホストコンピュータにおいて、ユーザデータを提供することと、
ホストコンピュータにおいて、基地局を備えるセルラーネットワークを介してＵＥにユーザデータを搬送する送信を始動することであって、基地局が、グループＢ実施形態のいずれか１つに記載のステップのいずれかを実施する、送信を始動することと
を含む、方法。
Ｃ９．
基地局において、ユーザデータを送信することをさらに含む、実施形態Ｃ８に記載の方法。
Ｃ１０．
ユーザデータが、ホストアプリケーションを実行することによってホストコンピュータにおいて提供され、方法が、ＵＥにおいて、ホストアプリケーションに関連付けられたクライアントアプリケーションを実行することをさらに含む、実施形態Ｃ８またはＣ９に記載の方法。
Ｃ１１．
基地局と通信するように設定されたユーザ機器（ＵＥ）であって、ＵＥが、実施形態Ｃ８からＣ１０のいずれか１つに記載の方法を実施するように設定された無線インターフェースおよび処理回路要素を備える、ユーザ機器（ＵＥ）。
Ｃ１２．
ホストコンピュータを含む通信システムであって、ホストコンピュータは、
ユーザデータを提供するように設定された処理回路要素と、
ユーザ機器（ＵＥ）への送信のためにユーザデータをセルラーネットワークにフォワーディングするように設定された通信インターフェースと
を備え、
ＵＥが無線インターフェースと処理回路要素とを備え、ＵＥの構成要素が、グループＡ実施形態のいずれか１つに記載のステップのいずれかを実施するように設定された、
通信システム。
Ｃ１３．
セルラーネットワークが、ＵＥと通信するように設定された基地局をさらに含む、実施形態Ｃ１２に記載の通信システム。
Ｃ１４．
ホストコンピュータの処理回路要素が、ホストアプリケーションを実行し、それによりユーザデータを提供するように設定され、
ＵＥの処理回路要素が、ホストアプリケーションに関連付けられたクライアントアプリケーションを実行するように設定された、
実施形態Ｃ１２またはＣ１３に記載の通信システム。
Ｃ１５．
ホストコンピュータと、基地局と、ユーザ機器（ＵＥ）とを含む通信システムにおいて実装される方法であって、方法は、
ホストコンピュータにおいて、ユーザデータを提供することと、
ホストコンピュータにおいて、基地局を備えるセルラーネットワークを介してＵＥにユーザデータを搬送する送信を始動することであって、ＵＥが、グループＡ実施形態のいずれか１つに記載のステップのいずれかを実施する、送信を始動することと
を含む、方法。
Ｃ１６．
ＵＥにおいて、基地局からユーザデータを受信することをさらに含む、実施形態Ｃ１５に記載の方法。
Ｃ１７．
ホストコンピュータを含む通信システムであって、ホストコンピュータは、
ユーザ機器（ＵＥ）から基地局への送信から発生したユーザデータを受信するように設定された通信インターフェース
を備え、
ＵＥが無線インターフェースと処理回路要素とを備え、ＵＥの処理回路要素が、グループＡ実施形態のいずれか１つに記載のステップのいずれかを実施するように設定された、
通信システム。
Ｃ１８．
ＵＥをさらに含む、実施形態Ｃ１７に記載の通信システム。
Ｃ１９．
基地局をさらに含み、基地局が、ＵＥと通信するように設定された無線インターフェースと、ＵＥから基地局への送信によって搬送されたユーザデータをホストコンピュータにフォワーディングするように設定された通信インターフェースとを備える、実施形態Ｃ１７またはＣ１８に記載の通信システム。
Ｃ２０．
ホストコンピュータの処理回路要素が、ホストアプリケーションを実行するように設定され、
ＵＥの処理回路要素が、ホストアプリケーションに関連付けられたクライアントアプリケーションを実行し、それによりユーザデータを提供するように設定された、
実施形態Ｃ１７からＣ１９のいずれか１つに記載の通信システム。
Ｃ２１．
ホストコンピュータの処理回路要素が、ホストアプリケーションを実行し、それにより要求データを提供するように設定され、
ＵＥの処理回路要素が、ホストアプリケーションに関連付けられたクライアントアプリケーションを実行し、それにより、要求データに応答してユーザデータを提供するように設定された、
実施形態Ｃ１７からＣ２０のいずれか１つに記載の通信システム。
Ｃ２２．
ホストコンピュータと、基地局と、ユーザ機器（ＵＥ）とを含む通信システムにおいて実装される方法であって、方法は、
ホストコンピュータにおいて、ＵＥから基地局に送信されたユーザデータを受信することであって、ＵＥが、グループＡ実施形態のいずれか１つに記載のステップのいずれかを実施する、ユーザデータを受信すること
を含む、方法。
Ｃ２３．
ＵＥにおいて、基地局にユーザデータを提供することをさらに含む、実施形態Ｃ２２に記載の方法。
Ｃ２４．
ＵＥにおいて、クライアントアプリケーションを実行し、それにより、送信されるべきユーザデータを提供することと、
ホストコンピュータにおいて、クライアントアプリケーションに関連付けられたホストアプリケーションを実行することと
をさらに含む、実施形態Ｃ２２またはＣ２３に記載の方法。
Ｃ２５．
ＵＥにおいて、クライアントアプリケーションを実行することと、
ＵＥにおいて、クライアントアプリケーションへの入力データを受信することであって、入力データが、クライアントアプリケーションに関連付けられたホストアプリケーションを実行することによってホストコンピュータにおいて提供される、入力データを受信することと
をさらに含み、
送信されるべきユーザデータが、入力データに応答してクライアントアプリケーションによって提供される、
実施形態Ｃ２２からＣ２４のいずれか１つに記載の方法。
Ｃ２６．
ホストコンピュータを含む通信システムであって、ホストコンピュータは、ユーザ機器（ＵＥ）から基地局への送信から発生したユーザデータを受信するように設定された通信インターフェースを備え、基地局が無線インターフェースと処理回路要素とを備え、基地局の処理回路要素が、グループＢ実施形態のいずれか１つに記載のステップのいずれかを実施するように設定された、通信システム。
Ｃ２７．
基地局をさらに含む、実施形態Ｃ２６に記載の通信システム。
Ｃ２８．
ＵＥをさらに含み、ＵＥが基地局と通信するように設定された、実施形態Ｃ２６またはＣ２７に記載の通信システム。
Ｃ２９．
ホストコンピュータの処理回路要素が、ホストアプリケーションを実行するように設定され、
ＵＥが、ホストアプリケーションに関連付けられたクライアントアプリケーションを実行し、それにより、ホストコンピュータによって受信されるべきユーザデータを提供するように設定された、
実施形態Ｃ２６からＣ２８のいずれか１つに記載の通信システム。
Ｃ３０．
ホストコンピュータと、基地局と、ユーザ機器（ＵＥ）とを含む通信システムにおいて実装される方法であって、方法は、
ホストコンピュータにおいて、基地局から、基地局がＵＥから受信した送信から発生したユーザデータを受信することであって、ＵＥが、グループＡ実施形態のいずれか１つに記載のステップのいずれかを実施する、ユーザデータを受信すること
を含む、方法。
Ｃ３１．
基地局において、ＵＥからユーザデータを受信することをさらに含む、実施形態Ｃ３０に記載の方法。
Ｃ３２．
基地局において、ホストコンピュータへの、受信されたユーザデータの送信を始動することをさらに含む、実施形態Ｃ３０またはＣ３１に記載の方法。
Ｄ１．
ホストコンピュータと、基地局と、無線デバイスとを含む通信システムによって実施される方法であって、
ホストコンピュータにおいて、ユーザデータを提供することと、
ホストコンピュータにおいて、基地局を備えるセルラーネットワークを介して無線デバイスにユーザデータを搬送する送信を始動することと
を含み、無線デバイスが、
少なくとも１つのＳＲＳ送信セッティングを備える、設定されるべき１つまたは複数のＳＲＳリソースセットの規定を受信することと、
１つまたは複数の設定されたＳＲＳリソースセットから選択された、ＳＲＳ送信のために使用すべきＳＲＳリソースセットの指示を受信することと、
選択されたＳＲＳリソースセットと少なくとも１つのＳＲＳ送信セッティングとに基づいてＳＲＳ送信のためのプリコーディング設定を決定することと、
決定されたプリコーディング設定に従ってＳＲＳを送信することと
を行う、方法。
Ｄ２．
無線デバイスにおいて、今度のダウンリンク送信のためのプリコーディング重みを受信することと、
無線デバイスにおいて、基地局からの、ユーザデータを搬送するダウンリンク送信を受信することと
をさらに含む、例Ｄ１に記載の方法。
Ｄ３．
ホストコンピュータを含む通信システムであって、ホストコンピュータは、
ユーザデータを提供するように設定された処理回路要素と、
無線デバイスへの送信のためにユーザデータをセルラーネットワークにフォワーディングするように設定された通信インターフェースと
を備え、
無線デバイスが無線インターフェースと処理回路要素とを備え、無線デバイスの処理回路要素が、
少なくとも１つのＳＲＳ送信セッティングを備える、設定されるべき１つまたは複数のＳＲＳリソースセットの指示を受信することと、
ＳＲＳ送信のために使用すべき、１つまたは複数の設定されたＳＲＳリソースセットから選択されたＳＲＳリソースセットの指示を受信することと、
選択されたＳＲＳリソースセットと少なくとも１つのＳＲＳ送信セッティングとに基づいてＳＲＳ送信のためのプリコーディング設定を決定することと、
決定されたプリコーディング設定に従ってＳＲＳを送信することと
を行うように設定された、通信システム。
Ｄ４．
ホストコンピュータと、基地局と、無線デバイスとを含む通信システムによって実施される方法であって、方法が、
ホストコンピュータにおいて、ユーザデータを提供することと、
ホストコンピュータにおいて、基地局を備えるセルラーネットワークを介して無線デバイスにユーザデータを搬送する送信を始動することと
を含み、基地局は、
無線デバイスに、少なくとも１つのＳＲＳ送信セッティングを備える、設定されるべき１つまたは複数のＳＲＳリソースセットの規定を送ることと、
ＳＲＳ送信のために使用すべき、１つまたは複数の設定されたＳＲＳリソースセットから選択されたＳＲＳリソースセットの指示を送ることであって、少なくとも１つのＳＲＳ送信セッティングがＳＲＳ送信のためのプリコーディング設定に対応する、選択されたＳＲＳリソースセットの指示を送ることと、
対応するプリコーディング設定に従ってＳＲＳ送信を受信することと
を行う、方法。
Ｄ５．
基地局において、今度のダウンリンク送信のためのプリコーディング重みを無線デバイスに送信することと、
基地局において、無線デバイスにユーザデータを搬送するダウンリンク送信を実施することと
をさらに含む、例Ｄ４に記載の方法。
Ｄ６．
ユーザデータが、ホストアプリケーションを実行することによってホストコンピュータにおいて提供され、方法が、
無線デバイスにおいて、ホストアプリケーションに関連付けられたクライアントアプリケーションを実行すること
をさらに含む、例Ｄ５に記載の方法。
Ｄ７．
ホストコンピュータを含む通信システムであって、ホストコンピュータは、
ユーザデータを提供するように設定された処理回路要素と、
無線デバイスへの送信のためにユーザデータをセルラーネットワークにフォワーディングするように設定された通信インターフェースと
を備え、
セルラーネットワークが、無線インターフェースと処理回路要素とを有する基地局を備え、基地局の処理回路要素は、
無線デバイスに、少なくとも１つのＳＲＳ送信セッティングを備える、設定されるべき１つまたは複数のＳＲＳリソースセットの規定を送ることと、
ＳＲＳ送信のために使用すべき、１つまたは複数の設定されたＳＲＳリソースセットから選択されたＳＲＳリソースセットの指示を送ることであって、少なくとも１つのＳＲＳ送信セッティングがＳＲＳ送信のためのプリコーディング設定に対応する、選択されたＳＲＳリソースセットの指示を送ることと、
対応するプリコーディング設定に従ってＳＲＳ送信を受信することと
を行うように設定された、通信システム。
【０１４４】
様々な実施形態が、上記で、および添付の付録において説明されたが、それらの実施形態は、限定ではなく、例として提示されたにすぎないことを理解されたい。したがって、本開示の広さおよび範囲は、上記で説明された例示的な実施形態のいずれによっても限定されるべきでない。その上、本明細書で別段に示されていない限り、またはコンテキストによって明確に否定されていない限り、上記で説明されたエレメントのそれらのすべての考えられる変形形態における任意の組合せが、本開示によって包含される。
【０１４５】
さらに、上記で説明され、図面に示されたプロセスは、ステップのシーケンスとして示されたが、これは、説明のためにのみ行われた。したがって、いくつかのステップが追加され得、いくつかのステップが省略され得、ステップの順序が並べ替えられ得、いくつかのステップが並行して実施され得ることが企図される。
【図１】
2020536471.tif 000013
【図２】
2020536471.tif 000014
【図３】
2020536471.tif 000015
【図４】
2020536471.tif 000016
【図５】
2020536471.tif 000017
【図６】
2020536471.tif 000018
【図７】
2020536471.tif 000019
【図８】
2020536471.tif 000020
【図９】
2020536471.tif 000021
【図１０】
2020536471.tif 000022
【図１１】
2020536471.tif 000023
【図１２】
2020536471.tif 000024
【図１３】
2020536471.tif 000025
【図１４】
2020536471.tif 000026
【図１５】
2020536471.tif 000027
【図１６】
2020536471.tif 000028
【図１７】
2020536471.tif 000029
【図１８】
2020536471.tif 000030
【手続補正書】
【提出日】令和2年6月12日(2020.6.12)
【手続補正１】
【補正対象書類名】特許請求の範囲
【補正対象項目名】全文
【補正方法】変更
【補正の内容】
【特許請求の範囲】
【請求項１】
サウンディング参照信号（ＳＲＳ）送信を実施するための、無線デバイスによって実施される方法（１７００）であって、前記方法は、
少なくとも１つのＳＲＳ送信セッティングを含む、設定されるべき１つまたは複数のＳＲＳリソースセットの規定を受信すること（ｓ１７０２）と、
前記１つまたは複数の設定されたＳＲＳリソースセットから選択された、ＳＲＳ送信のために使用すべきＳＲＳリソースセットの指示を受信すること（ｓ１７０４）と、
前記選択されたＳＲＳリソースセットと前記少なくとも１つのＳＲＳ送信セッティングとに基づいて前記ＳＲＳ送信のためのプリコーディング設定を決定すること（ｓ１７０６）であって、前記ＳＲＳ送信のためのプリコーディング設定を前記決定することは、コードブックベースプリコーディングが適用されるべきであるのか非コードブックベースプリコーディングが適用されるべきであるのかを決定することを含む、プリコーディング設定を決定すること（ｓ１７０６）と、
前記決定されたプリコーディング設定に従ってＳＲＳを送信すること（ｓ１７０８）であって、前記ＳＲＳ送信が、前記決定されたプリコーディング設定に基づいて前記ＳＲＳ送信をプリコーディングすることを含む、ＳＲＳを送信すること（ｓ１７０８）と
を含む、方法（１７００）。
【請求項２】
前記ＳＲＳ送信のための前記プリコーディング設定を前記決定することが、プリコーディングインジケータに基づく、請求項１に記載の方法。
【請求項３】
前記プリコーディングインジケータが、前記少なくとも１つのＳＲＳ送信セッティング中に備えられる、請求項２に記載の方法。
【請求項４】
前記プリコーディングインジケータが、関連するダウンリンク参照信号（ＤＬ  ＲＳ）を識別するＤＬ  ＲＳ識別子である、請求項２または３に記載の方法。
【請求項５】
前記ＳＲＳ送信のためのプリコーディング設定を前記決定することが、前記ＳＲＳ送信のための相反性ベースプリコーディングを適用すべきかどうかを決定することを含む、請求項１から４のいずれか一項に記載の方法。
【請求項６】
前記選択されたＳＲＳリソースがＤＬ  ＲＳに対する関連付けを備え、前記方法が、前記関連するＤＬ  ＲＳに基づいて前記ＳＲＳ送信のための相反性ベースプリコーダを決定することをさらに含む、請求項５に記載の方法。
【請求項７】
前記ＳＲＳ送信が非周期送信であり、選択されたＳＲＳリソースセットの前記指示がＤＬ制御情報（ＤＣＩ）インジケータを含む、請求項１から６のいずれか一項に記載の方法。
【請求項８】
サウンディング参照信号（ＳＲＳ）送信を実施するための無線デバイス（１００）であって、前記無線デバイスは、
少なくとも１つのＳＲＳ送信セッティングを含む、設定されるべき１つまたは複数のＳＲＳリソースセットの規定を受信することと、
ＳＲＳ送信のために使用すべき、前記１つまたは複数の設定されたＳＲＳリソースセットから選択されたＳＲＳリソースセットの指示を受信することと、
前記選択されたＳＲＳリソースセットと前記少なくとも１つのＳＲＳ送信セッティングとに基づいて前記ＳＲＳ送信のためのプリコーディング設定を決定することであって、前記ＳＲＳ送信のための前記決定されたプリコーディング設定が、コードブックベースプリコーディングまたは非コードブックベースプリコーディングのうちの１つを含む、プリコーディング設定を決定することと、
前記決定されたプリコーディング設定に従ってＳＲＳを送信することであって、前記ＳＲＳ送信が、前記決定されたプリコーディング設定に基づいて前記ＳＲＳ送信をプリコーディングすることを含む、ＳＲＳを送信することと
を行うように設定された、無線デバイス（１００）。
【請求項９】
前記ＳＲＳ送信のための前記決定されたプリコーディング設定が、前記ＳＲＳ送信のための相反性ベースプリコーディングを適用することを含む、請求項８に記載の無線デバイス。
【請求項１０】
前記選択されたＳＲＳリソースがＤＬ  ＲＳに対する関連付けを備え、前記無線デバイスが、関連するＤＬ  ＲＳに基づいて前記ＳＲＳ送信のための相反性ベースプリコーダを決定するようにさらに設定された、請求項９に記載の無線デバイス。
【請求項１１】
前記ＳＲＳ送信が非周期送信であり、選択されたＳＲＳリソースセットの前記指示がＤＬ制御情報（ＤＣＩ）インジケータを含む、請求項８から１０のいずれか一項に記載の無線デバイス。
【請求項１２】
サウンディング参照信号（ＳＲＳ）送信を管理するための、ネットワークノードによって実施される方法（１８００）であって、前記方法は、
無線デバイスに、少なくとも１つのＳＲＳ送信セッティングを含む、設定されるべき１つまたは複数のＳＲＳリソースセットの規定を送ること（ｓ１８０２）と、
ＳＲＳ送信のために使用すべき、前記１つまたは複数の設定されたＳＲＳリソースセットから選択されたＳＲＳリソースセットの指示を送ること（ｓ１８０４）であって、前記少なくとも１つのＳＲＳ送信セッティングが前記ＳＲＳ送信のためのプリコーディング設定に対応し、前記ＳＲＳ送信のための前記対応するプリコーディング設定が、コードブックベースプリコーディングまたは非コードブックベースプリコーディングのうちの１つを含む、選択されたＳＲＳリソースセットの指示を送ること（ｓ１８０４）と、
前記対応するプリコーディング設定に従ってＳＲＳ送信を受信すること（ｓ１８０６）であって、前記ＳＲＳ送信が、前記対応するプリコーディング設定に基づくプリコーディングを含む、ＳＲＳ送信を受信すること（ｓ１８０６）と
を含む、方法（１８００）。
【請求項１３】
前記ＳＲＳ送信のための前記対応するプリコーディング設定が、前記ＳＲＳ送信のための相反性ベースプリコーディングを含む、請求項１２に記載の方法。
【請求項１４】
前記選択されたＳＲＳリソースがＤＬ  ＲＳに対する関連付けを備え、前記対応するプリコーディング設定が、関連するＤＬ  ＲＳに基づく相反性ベースプリコーディングを含む、請求項１３に記載の方法。
【請求項１５】
前記ＳＲＳ送信が非周期送信であり、選択されたＳＲＳリソースセットの前記指示がＤＬ制御情報（ＤＣＩ）インジケータを含む、請求項１２から１４のいずれか一項に記載の方法。
【請求項１６】
サウンディング参照信号（ＳＲＳ）送信を管理するためのネットワークノード（２００）であって、前記ネットワークノードは、
無線デバイスに、少なくとも１つのＳＲＳ送信セッティングを含む、設定されるべき１つまたは複数のＳＲＳリソースセットの規定を送ることと、
ＳＲＳ送信のために使用すべき、前記１つまたは複数の設定されたＳＲＳリソースセットから選択されたＳＲＳリソースセットの規定を送ることであって、前記少なくとも１つのＳＲＳ送信セッティングが前記ＳＲＳ送信のためのプリコーディング設定に対応し、前記ＳＲＳ送信のための前記対応するプリコーディング設定が、コードブックベースプリコーディングまたは非コードブックベースプリコーディングのうちの１つを含む、選択されたＳＲＳリソースセットの規定を送ることと、
前記対応するプリコーディング設定に従ってＳＲＳ送信を受信することであって、前記ＳＲＳ送信が、前記対応するプリコーディング設定に基づくプリコーディングを含む、ＳＲＳ送信を受信することと
を行うように設定された、ネットワークノード（２００）。
【請求項１７】
前記ＳＲＳ送信のための前記対応するプリコーディング設定が、前記ＳＲＳ送信のための相反性ベースプリコーディングを含む、請求項１６に記載のネットワークノード。
【請求項１８】
前記選択されたＳＲＳリソースがＤＬ  ＲＳに対する関連付けを備え、前記対応するプリコーディング設定が、前記関連するＤＬ  ＲＳに基づく相反性ベースプリコーディングを含む、請求項１７に記載のネットワークノード。
【請求項１９】
前記ＳＲＳ送信が非周期送信であり、選択されたＳＲＳリソースセットの指示がＤＬ制御情報（ＤＣＩ）インジケータを含む、請求項１６から１８のいずれか一項に記載のネットワークノード。
【請求項２０】
処理回路要素によって実行されたとき、前記処理回路要素に、請求項１から７および請求項１２から１５に記載の方法のうちのいずれか１つを実施させる命令を備えるデバイス可読媒体（１３０、２２０）。
【国際調査報告】
2020536471.tif 000031
2020536471.tif 000032
2020536471.tif 000033